(57)【要約】【課題】商品に対する消費者の信用度を増大させると共に、消費者が安心して商品を選択できるようにする。【解決手段】商品提供者端末２から送信された商品提供者情報を記録する商品提供者情報記録手段６と、商品情報提供者端末３から送信された商品情報提供者情報を記録する商品情報提供者情報記録手段７と、情報提供者端末４から送信された情報提供者情報を記録する情報提供者情報記録手段８と、情報出力手段９と、ポイント付与手段１０とを備える。【選択図】図１
2020177663.tif 000002
【特許請求の範囲】
【請求項１】
所定の商品の情報と、所定の第１の情報を含み、商品提供者の端末から送信された情報を、商品提供者情報として記録する商品提供者情報記録手段と、
前記商品提供者が提供する前記商品の情報と、前記商品提供者が提供する前記商品の品質理解のための情報を含み、前記商品提供者とは異なる商品情報提供者の端末から送信された情報を、商品情報提供者情報として記録する商品情報提供者情報記録手段と、
前記第１の情報と対応付けられた第２の情報を含み、前記商品提供者及び前記商品情報提供者とは異なる情報提供者の端末から送信された情報を、情報提供者情報として記録する情報提供者情報記録手段と、
前記商品情報提供者情報記録手段に記録された前記商品情報提供者情報のうち、前記商品提供者が選択した商品情報提供者情報である選択商品情報提供者情報に含まれる前記品質理解のための情報、若しくは、前記選択商品情報提供者情報に含まれる前記品質理解のための情報にアクセス可能な識別情報を出力すると共に、
前記情報提供者情報記録手段に記録された前記情報提供者情報のうち、前記商品提供者が選択した情報提供者情報である選択情報提供者情報に含まれる前記第２の情報、若しくは、前記選択情報提供者情報に含まれる前記第２の情報にアクセス可能な識別情報を出力する情報出力手段と、
前記情報出力手段が情報を出力することによって、前記品質理解のための情報が利用された前記商品情報提供者、及び、前記第２の情報が利用された前記情報提供者に対して、ポイントを付与するポイント付与手段と、を備える
商品情報提供システム。
【請求項２】
前記商品提供者の端末から送信された第１の特定情報であって、前記商品情報提供者情報記録手段に記録された複数の前記商品情報提供者情報のうち、前記選択商品情報提供者情報を特定するための前記第１の特定情報を記録する第１の特定情報記録手段を備え、
前記情報出力手段は、前記第１の特定情報記録手段に記録された前記第１の特定情報に基づいて出力する
請求項１に記載の商品情報提供システム。
【請求項３】
前記商品提供者の端末から送信された第２の特定情報であって、前記情報提供者情報記録手段に記録された複数の情報提供者情報のうち、前記選択情報提供者情報を特定するための前記第２の特定情報を記録する第２の特定情報記録手段を備え、
前記情報出力手段は、前記第２の特定情報記録手段に記録された前記第２の特定情報に基づいて出力する
請求項１または請求項２に記載の商品情報提供システム。
【請求項４】
前記商品情報提供者情報は、前記品質理解のための情報が利用された場合の第１の還元率の情報を含み、
前記ポイント付与手段は、前記選択商品情報提供者情報に含まれる第１の還元率の情報に応じたポイントを付与する
請求項１、請求項２または請求項３に記載の商品情報提供システム。
【請求項５】
前記情報提供者情報は、前記第２の情報が利用された場合の第２の還元率の情報を含み、
前記ポイント付与手段は、前記選択情報提供者情報に含まれる第２の還元率の情報に応じたポイントを付与する
請求項１、請求項２、請求項３または請求項４に記載の商品情報提供システム。
【請求項６】
前記商品提供者情報は、前記商品提供者が提供する前記商品の品質理解のための情報を含む
請求項１、請求項２、請求項３、請求項４または請求項５に記載の商品情報提供システム。
【請求項７】
所定の商品の情報を含み、商品提供者の端末から送信された情報を、商品提供者情報として記録する商品提供者情報記録手段と、
前記商品提供者が提供する前記商品の情報と、前記商品提供者が提供する前記商品の品質理解のための情報を含み、前記商品提供者とは異なる商品情報提供者の端末から送信された情報を、商品情報提供者情報として記録する商品情報提供者情報記録手段と、
所定の第１の情報を含み、前記商品提供者及び前記商品情報提供者とは異なる第１の情報提供者の端末から送信された情報を、第１の情報提供者情報として記録する第１の情報提供者情報記録手段と、
前記第１の情報と対応付けられた第２の情報を含み、前記商品提供者及び前記商品情報提供者及び前記第１の情報提供者とは異なる第２の情報提供者の端末から送信された情報を、第２の情報提供者情報として記録する第２の情報提供者情報記録手段と、
前記商品情報提供者情報記録手段に記録された前記商品情報提供者情報のうち、前記商品提供者が選択した商品情報提供者情報である選択商品情報提供者情報に含まれる前記品質理解のための情報、若しくは、前記選択商品情報提供者情報に含まれる前記品質理解のための情報にアクセス可能な識別情報を出力すると共に、
前記第２の情報提供者情報記録手段に記録された前記第２の情報提供者情報のうち、前記第１の情報提供者が選択した第２の情報提供者情報である選択情報提供者情報に含まれる前記第２の情報、若しくは、前記選択情報提供者情報に含まれる前記第２の情報にアクセス可能な識別情報を出力する情報出力手段と、
前記情報出力手段が情報を出力することによって、前記品質理解のための情報が利用された前記商品情報提供者、及び、前記第２の情報が利用された前記第２の情報提供者に対して、ポイントを付与するポイント付与手段と、を備える
商品情報提供システム。
【請求項８】
前記商品提供者の端末から送信された第１の特定情報であって、前記商品情報提供者情報記録手段に記録された複数の前記商品情報提供者情報のうち、前記選択商品情報提供者情報を特定するための前記第１の特定情報を記録する第１の特定情報記録手段を備え、
前記情報出力手段は、前記第１の特定情報記録手段に記録された前記第１の特定情報に基づいて出力する
請求項７に記載の商品情報提供システム。
【請求項９】
前記第１の情報提供者の端末から送信された第２の特定情報であって、前記第２の情報提供者情報記録手段に記録された複数の前記第２の情報提供者情報のうち、前記選択情報提供者情報を特定するための前記第２の特定情報を記録する第２の特定情報記録手段を備え、
前記情報出力手段は、前記第２の特定情報記録手段に記録された前記第２の特定情報に基づいて出力する
請求項７または請求項８に記載の商品情報提供システム。
【請求項１０】
前記商品情報提供者情報は、前記品質理解のための情報が利用された場合の第１の還元率の情報を含み、
前記ポイント付与手段は、前記選択商品情報提供者情報に含まれる第１の還元率の情報に応じたポイントを付与する
請求項７、請求項８または請求項９に記載の商品情報提供システム。
【請求項１１】
前記第２の情報提供者情報は、前記第２の情報が利用された場合の第２の還元率の情報を含み、
前記ポイント付与手段は、前記選択情報提供者情報に含まれる第２の還元率の情報に応じたポイントを付与する
請求項７、請求項８、請求項９または請求項１０に記載の商品情報提供システム。
【請求項１２】
前記商品提供者情報は、前記商品提供者が提供する前記商品の品質理解のための情報を含む
請求項７、請求項８、請求項９、請求項１０または請求項１１に記載の商品情報提供システム。
【請求項１３】
商品提供者が提供する商品の品質理解のための情報を含み、前記商品提供者とは異なる商品情報提供者の端末から送信された情報を、商品情報提供者情報として記録する商品情報提供者情報記録手段と、
所定の第１の情報を含み、前記商品提供者及び前記商品情報提供者とは異なる第１の情報提供者の端末から送信された情報を、第１の情報提供者情報として記録する第１の情報提供者情報記録手段と、
前記第１の情報と対応付けられた第２の情報を含み、前記商品提供者及び前記商品情報提供者及び前記第１の情報提供者とは異なる第２の情報提供者の端末から送信された情報を、第２の情報提供者情報として記録する第２の情報提供者情報記録手段と、
前記商品情報提供者情報記録手段に記録された前記商品情報提供者情報のうち、前記商品提供者が選択した商品情報提供者情報である選択商品情報提供者情報に含まれる前記品質理解のための情報、若しくは、前記選択商品情報提供者情報に含まれる前記品質理解のための情報にアクセス可能な識別情報を出力すると共に、
前記第２の情報提供者情報記録手段に記録された前記第２の情報提供者情報のうち、前記第１の情報提供者が選択した第２の情報提供者情報である選択情報提供者情報に含まれる前記第２の情報、若しくは、前記選択情報提供者情報に含まれる前記第２の情報にアクセス可能な識別情報を出力する情報出力手段と、
前記情報出力手段が情報を出力することによって、前記品質理解のための情報が利用された前記商品情報提供者、及び、前記第２の情報が利用された前記第２の情報提供者に対して、ポイントを付与するポイント付与手段と、を備える
商品情報提供システム。
【請求項１４】
前記商品提供者の端末から送信された第１の特定情報であって、前記商品情報提供者情報記録手段に記録された複数の前記商品情報提供者情報のうち、前記選択商品情報提供者情報を特定するための前記第１の特定情報を記録する第１の特定情報記録手段を備え、
前記情報出力手段は、前記第１の特定情報記録手段に記録された前記第１の特定情報に基づいて出力する
請求項１３に記載の商品情報提供システム。
【請求項１５】
前記第１の情報提供者の端末から送信された第２の特定情報であって、前記第２の情報提供者情報記録手段に記録された複数の前記第２の情報提供者情報のうち、前記選択情報提供者情報を特定するための前記第２の特定情報を記録する第２の特定情報記録手段を備え、
前記情報出力手段は、前記第２の特定情報記録手段に記録された前記第２の特定情報に基づいて出力する
請求項１３または請求項１４に記載の商品情報提供システム。
【請求項１６】
前記商品情報提供者情報は、前記品質理解のための情報が利用された場合の第１の還元率の情報を含み、
前記ポイント付与手段は、前記選択商品情報提供者情報に含まれる第１の還元率の情報に応じたポイントを付与する
請求項１３、請求項１４または請求項１５に記載の商品情報提供システム。
【請求項１７】
前記第２の情報提供者情報は、前記第２の情報が利用された場合の第２の還元率の情報を含み、
前記ポイント付与手段は、前記選択情報提供者情報に含まれる第２の還元率の情報に応じたポイントを付与する
請求項１３、請求項１４、請求項１５または請求項１６に記載の商品情報提供システム。
【請求項１８】
所定のサービスの情報と、所定の第１の情報を含み、サービス提供者の端末から送信された情報を、サービス提供者情報として記録するサービス提供者情報記録手段と、
前記サービス提供者が提供する前記サービスの情報と、前記サービス提供者が提供する前記サービスの品質理解のための情報を含み、前記サービス提供者とは異なるサービス情報提供者の端末から送信された情報を、サービス情報提供者情報として記録するサービス情報提供者情報記録手段と、
前記第１の情報と対応付けられた第２の情報を含み、前記サービス提供者及び前記サービス情報提供者とは異なる情報提供者の端末から送信された情報を、情報提供者情報として記録する情報提供者情報記録手段と、
前記サービス情報提供者情報記録手段に記録された前記サービス情報提供者情報のうち、前記サービス提供者が選択したサービス情報提供者情報である選択サービス情報提供者情報に含まれる前記品質理解のための情報、若しくは、前記選択サービス情報提供者情報に含まれる前記品質理解のための情報にアクセス可能な識別情報を出力すると共に、
前記情報提供者情報記録手段に記録された前記情報提供者情報のうち、前記サービス提供者が選択した情報提供者情報である選択情報提供者情報に含まれる前記第２の情報、若しくは、前記選択情報提供者情報に含まれる前記第２の情報にアクセス可能な識別情報を出力する情報出力手段と、
前記情報出力手段が情報を出力することによって、前記品質理解のための情報が利用された前記サービス情報提供者、及び、前記第２の情報が利用された前記情報提供者に対して、ポイントを付与するポイント付与手段と、を備える
サービス情報提供システム。
【請求項１９】
前記サービス提供者の端末から送信された第１の特定情報であって、前記サービス情報提供者情報記録手段に記録された複数の前記サービス情報提供者情報のうち、前記選択サービス情報提供者情報を特定するための前記第１の特定情報を記録する第１の特定情報記録手段を備え、
前記情報出力手段は、前記第１の特定情報記録手段に記録された前記第１の特定情報に基づいて出力する
請求項１８に記載のサービス情報提供システム。
【請求項２０】
前記サービス提供者の端末から送信された第２の特定情報であって、前記情報提供者情報記録手段に記録された複数の情報提供者情報のうち、前記選択情報提供者情報を特定するための前記第２の特定情報を記録する第２の特定情報記録手段を備え、
前記情報出力手段は、前記第２の特定情報記録手段に記録された前記第２の特定情報に基づいて出力する
請求項１８または請求項１９に記載のサービス情報提供システム。
【請求項２１】
前記サービス情報提供者情報は、前記品質理解のための情報が利用された場合の第１の還元率の情報を含み、
前記ポイント付与手段は、前記選択サービス情報提供者情報に含まれる第１の還元率の情報に応じたポイントを付与する
請求項１８、請求項１９または請求項２０に記載のサービス情報提供システム。
【請求項２２】
前記情報提供者情報は、前記第２の情報が利用された場合の第２の還元率の情報を含み、
前記ポイント付与手段は、前記選択情報提供者情報に含まれる第２の還元率の情報に応じたポイントを付与する
請求項１８、請求項１９、請求項２０または請求項２１に記載のサービス情報提供システム。
【請求項２３】
前記サービス提供者情報は、前記サービス提供者が提供する前記サービスの品質理解のための情報を含む
請求項１８、請求項１９、請求項２０、請求項２１または請求項２２に記載のサービス情報提供システム。
【請求項２４】
所定のサービスの情報を含み、サービス提供者の端末から送信された情報を、サービス提供者情報として記録するサービス提供者情報記録手段と、
前記サービス提供者が提供する前記サービスの情報と、前記サービス提供者が提供する前記サービスの品質理解のための情報を含み、前記サービス提供者とは異なるサービス情報提供者の端末から送信された情報を、サービス情報提供者情報として記録するサービス情報提供者情報記録手段と、
所定の第１の情報を含み、前記サービス提供者及び前記サービス情報提供者とは異なる第１の情報提供者の端末から送信された情報を、第１の情報提供者情報として記録する第１の情報提供者情報記録手段と、
前記第１の情報と対応付けられた第２の情報を含み、前記サービス提供者及び前記サービス情報提供者及び前記第１の情報提供者とは異なる第２の情報提供者の端末から送信された情報を、第２の情報提供者情報として記録する第２の情報提供者情報記録手段と、
前記サービス情報提供者情報記録手段に記録された前記サービス情報提供者情報のうち、前記サービス提供者が選択したサービス情報提供者情報である選択サービス情報提供者情報に含まれる前記品質理解のための情報、若しくは、前記選択サービス情報提供者情報に含まれる前記品質理解のための情報にアクセス可能な識別情報を出力すると共に、
前記第２の情報提供者情報記録手段に記録された前記第２の情報提供者情報のうち、前記第１の情報提供者が選択した第２の情報提供者情報である選択情報提供者情報に含まれる前記第２の情報、若しくは、前記選択情報提供者情報に含まれる前記第２の情報にアクセス可能な識別情報を出力する情報出力手段と、
前記情報出力手段が情報を出力することによって、前記品質理解のための情報が利用された前記サービス情報提供者、及び、前記第２の情報が利用された前記第２の情報提供者に対して、ポイントを付与するポイント付与手段と、を備える
サービス情報提供システム。
【請求項２５】
前記サービス提供者の端末から送信された第１の特定情報であって、前記サービス情報提供者情報記録手段に記録された複数の前記サービス情報提供者情報のうち、前記選択サービス情報提供者情報を特定するための前記第１の特定情報を記録する第１の特定情報記録手段を備え、
前記情報出力手段は、前記第１の特定情報記録手段に記録された前記第１の特定情報に基づいて出力する
請求項２４に記載のサービス情報提供システム。
【請求項２６】
前記第１の情報提供者の端末から送信された第２の特定情報であって、前記第２の情報提供者情報記録手段に記録された複数の前記第２の情報提供者情報のうち、前記選択情報提供者情報を特定するための前記第２の特定情報を記録する第２の特定情報記録手段を備え、
前記情報出力手段は、前記第２の特定情報記録手段に記録された前記第２の特定情報に基づいて出力する
請求項２４または請求項２５に記載のサービス情報提供システム。
【請求項２７】
前記サービス情報提供者情報は、前記品質理解のための情報が利用された場合の第１の還元率の情報を含み、
前記ポイント付与手段は、前記選択サービス情報提供者情報に含まれる第１の還元率の情報に応じたポイントを付与する
請求項２４、請求項２５または請求項２６に記載のサービス情報提供システム。
【請求項２８】
前記第２の情報提供者情報は、前記第２の情報が利用された場合の第２の還元率の情報を含み、
前記ポイント付与手段は、前記選択情報提供者情報に含まれる第２の還元率の情報に応じたポイントを付与する
請求項２４、請求項２５、請求項２６または請求項２７に記載のサービス情報提供システム。
【請求項２９】
前記サービス提供者情報は、前記サービス提供者が提供する前記サービスの品質理解のための情報を含む
請求項２４、請求項２５、請求項２６、請求項２７または請求項２８に記載のサービス情報提供システム。
【請求項３０】
サービス提供者が提供するサービスの品質理解のための情報を含み、前記サービス提供者とは異なるサービス情報提供者の端末から送信された情報を、サービス情報提供者情報として記録するサービス情報提供者情報記録手段と、
所定の第１の情報を含み、前記サービス提供者及び前記サービス情報提供者とは異なる第１の情報提供者の端末から送信された情報を、第１の情報提供者情報として記録する第１の情報提供者情報記録手段と、
前記第１の情報と対応付けられた第２の情報を含み、前記サービス提供者及び前記サービス情報提供者及び前記第１の情報提供者とは異なる第２の情報提供者の端末から送信された情報を、第２の情報提供者情報として記録する第２の情報提供者情報記録手段と、
前記サービス情報提供者情報記録手段に記録された前記サービス情報提供者情報のうち、前記サービス提供者が選択したサービス情報提供者情報である選択サービス情報提供者情報に含まれる前記品質理解のための情報、若しくは、前記選択サービス情報提供者情報に含まれる前記品質理解のための情報にアクセス可能な識別情報を出力すると共に、
前記第２の情報提供者情報記録手段に記録された前記第２の情報提供者情報のうち、前記第１の情報提供者が選択した第２の情報提供者情報である選択情報提供者情報に含まれる前記第２の情報、若しくは、前記選択情報提供者情報に含まれる前記第２の情報にアクセス可能な識別情報を出力する情報出力手段と、
前記情報出力手段が情報を出力することによって、前記品質理解のための情報が利用された前記サービス情報提供者、及び、前記第２の情報が利用された前記第２の情報提供者に対して、ポイントを付与するポイント付与手段と、を備える
サービス情報提供システム。
【請求項３１】
前記サービス提供者の端末から送信された第１の特定情報であって、前記サービス情報提供者情報記録手段に記録された複数の前記サービス情報提供者情報のうち、前記選択サービス情報提供者情報を特定するための前記第１の特定情報を記録する第１の特定情報記録手段を備え、
前記情報出力手段は、前記第１の特定情報記録手段に記録された前記第１の特定情報に基づいて出力する
請求項３０に記載のサービス情報提供システム。
【請求項３２】
前記第１の情報提供者の端末から送信された第２の特定情報であって、前記第２の情報提供者情報記録手段に記録された複数の前記第２の情報提供者情報のうち、前記選択情報提供者情報を特定するための前記第２の特定情報を記録する第２の特定情報記録手段を備え、
前記情報出力手段は、前記第２の特定情報記録手段に記録された前記第２の特定情報に基づいて出力する
請求項３０または請求項３１に記載のサービス情報提供システム。
【請求項３３】
前記サービス情報提供者情報は、前記品質理解のための情報が利用された場合の第１の還元率の情報を含み、
前記ポイント付与手段は、前記選択サービス情報提供者情報に含まれる第１の還元率の情報に応じたポイントを付与する
請求項３０、請求項３１または請求項３２に記載のサービス情報提供システム。
【請求項３４】
前記第２の情報提供者情報は、前記第２の情報が利用された場合の第２の還元率の情報を含み、
前記ポイント付与手段は、前記選択情報提供者情報に含まれる第２の還元率の情報に応じたポイントを付与する
請求項３０、請求項３１、請求項３２または請求項３３に記載のサービス情報提供システム。
【発明の詳細な説明】
【技術分野】
【０００１】
本発明は、商品情報提供システム及びサービス情報提供システムに関する。詳しくは、消費者が安心して商品やサービスの選択をすることが可能となる商品情報提供システム及びサービス情報提供システムに係るものである。
【背景技術】
【０００２】
従来、食品を中心として商品の安全性が消費者に注目されており、消費者が商品を選択する際に、消費者は商品自体や商品の原料がどの様な物であるのかという点にまで関心を示す様になっている。
【０００３】
そのため、商品の提供者は、提供する商品や商品の原料の成分や産地、製造年月日等の情報を商品の包装に貼付したラベルに記載したり、ＩＣタグに記録したりして、商品を提供している。
【０００４】
しかし、単に情報を記載や記録したものを商品に添付して提供するだけでは、その情報の改竄や偽造等が容易であり、現に情報の改竄や偽造等が行われている事実もあり、消費者に信用度が低く、消費者が安心して商品を選択することが困難であった。
【０００５】
そこで、本発明の発明者は、単に情報を記載や記録したものを食品に添付するのではなく、食品の原料を粉末にした原料粉末見本を食品に添付して食品を提供する技術を提案している（特許文献１参照）。
【先行技術文献】
【特許文献】
【０００６】
【特許文献１】特開２００９−５６５６号公報
【発明の概要】
【発明が解決しようとする課題】
【０００７】
ところで、食品を含む各種商品の品質や、各種サービスの品質は、その商品やサービスが消費者に提供されるまでの過程における様々な要因に強く影響を受けるものである。
【０００８】
そのため、食品の原料粉末見本は、食品の品質についての情報を得ることができる要因ではあるものの、たった１つの要因に過ぎず、原料粉末見本を食品に添付して食品を提供するといった特許文献１に記載の技術のみでは、消費者が安心して商品やサービスを選択するといった目的を実現するのに充分ではない場合がある。
【０００９】
本発明は、以上の点に鑑みて創案されたものであって、より一層充分に消費者が安心して商品やサービスを選択することが可能となる商品情報提供システム及びサービス情報提供システムを提供することを目的とするものである。
【課題を解決するための手段】
【００１０】
上記の目的を達成するために、本発明の商品情報提供システムは、所定の商品の情報と、所定の第１の情報を含み、商品提供者の端末から送信された情報を、商品提供者情報として記録する商品提供者情報記録手段と、前記商品提供者が提供する前記商品の情報と、前記商品提供者が提供する前記商品の品質理解のための情報を含み、前記商品提供者とは異なる商品情報提供者の端末から送信された情報を、商品情報提供者情報として記録する商品情報提供者情報記録手段と、前記第１の情報と対応付けられた第２の情報を含み、前記商品提供者及び前記商品情報提供者とは異なる情報提供者の端末から送信された情報を、情報提供者情報として記録する情報提供者情報記録手段と、前記商品情報提供者情報記録手段に記録された前記商品情報提供者情報のうち、前記商品提供者が選択した商品情報提供者情報である選択商品情報提供者情報に含まれる前記品質理解のための情報、若しくは、前記選択商品情報提供者情報に含まれる前記品質理解のための情報にアクセス可能な識別情報を出力すると共に、前記情報提供者情報記録手段に記録された前記情報提供者情報のうち、前記商品提供者が選択した情報提供者情報である選択情報提供者情報に含まれる前記第２の情報、若しくは、前記選択情報提供者情報に含まれる前記第２の情報にアクセス可能な識別情報を出力する情報出力手段と、前記情報出力手段が情報を出力することによって、前記品質理解のための情報が利用された前記商品情報提供者、及び、前記第２の情報が利用された前記情報提供者に対して、ポイントを付与するポイント付与手段と、を備える。
【００１１】
ここで、商品提供者情報として、所定の商品の情報が商品提供者情報記録手段に記録されることによって、商品提供者が提供する所定の商品を特定することができる。
【００１２】
また、商品情報提供者情報として、商品提供者が提供する商品の情報が商品情報提供者情報記録手段に記録されることによって、商品提供者が提供する所定の商品を商品情報提供者の立場で特定することができる。
【００１３】
そして、所定の商品の特定を、商品提供者と商品情報提供者の双方の情報に基づいて行うことによって、情報の改竄や偽造等を抑止することができる。
即ち、同一内容であるべき情報（所定の商品の情報）について、それを提供する側（商品提供者）とそれ以外（商品情報提供者）の双方から記録することによって、情報の改竄や偽造等を抑止することができる。
なお、商品提供者情報記録手段が、商品情報提供者情報記録手段と異なる場合には、より一層情報の改竄や偽造等を抑止することができる。
【００１４】
また、商品情報提供者情報として、品質理解のための情報が商品情報提供者情報記録手段に記録されることによって、商品提供者が提供する商品の品質を商品情報提供者の立場で特定することができる。
【００１５】
ここで、商品提供者情報として、品質理解のための情報が商品提供者情報記録手段に記録される場合には、商品提供者が提供する商品の品質を特定することができる。
【００１６】
そして、所定の商品の品質の特定を、商品提供者と商品情報提供者の双方の情報に基づいて行うことによって、情報の改竄や偽造等を抑止することができる。
即ち、同一内容であるべき情報（商品の品質理解のための情報）について、それを提供する側（商品提供者）とそれ以外（商品情報提供者）の双方から記録することによって、情報の改竄や偽造等を抑止することができる。そして、情報の改竄や偽造等の抑止が実現できることから、商品情報提供者が提供する商品情報提供者情報は、商品提供者が提供する所定の商品の品質を保証するといった役割をも果たすこととなる。そのため、品質を保証してくれる商品情報提供者（即ち、選択商品情報提供者情報を記録した商品情報提供者）を、所定の表示を用いて知らしめた場合には、商品提供者の商品の販売促進が期待できる。
なお、商品提供者情報記録手段が、商品情報提供者情報記録手段と異なる場合には、より一層情報の改竄や偽造等を抑止することができる。
【００１７】
また、商品提供者情報として、第１の情報が商品提供者情報記録手段に記録され、かつ、情報提供者情報として、第２の情報が情報提供者情報記録手段に記録されることによって、対応付けられた２つの情報（第１の情報、第２の情報）を、異なる者（商品提供者、情報提供者）が記録することになる。そのため、情報の改竄や偽造等を抑止することができると共に、充分な量の情報の蓄積が期待できる。
【００１８】
また、情報出力手段が、選択商品情報提供者情報に含まれる品質理解のための情報、若しくは、品質理解のための情報にアクセス可能な識別情報を出力することによって、消費者は商品情報提供者が特定した商品提供者の商品の品質を把握することができる。
更に、情報出力手段が、選択情報提供者情報に含まれる第２の情報、若しくは、第２の情報にアクセス可能な識別情報を出力することによって、消費者は情報提供者が記録した第２の情報を把握することができる。
【００１９】
また、ポイント付与手段が品質理解のための情報が利用された商品情報提供者に対してポイントを付与することによって、品質理解のための情報が利用されたいという商品情報提供者のインセンティブを高めることができる。
同様に、ポイント付与手段が第２の情報が利用された情報提供者に対してポイントを付与することによって、第２の情報が利用されたいという情報提供者のインセンティブを高めることができる。
【００２０】
また、ポイントを付与される対象は、商品提供者が選択した商品情報提供者情報や情報提供者情報であるために、換言すると、商品提供者に選択された商品情報提供者情報や情報提供者情報のみが利用されるために、商品情報提供者情報や情報提供者情報が利用されたい商品情報提供者同士、情報提供者同士での競争が生まれ、より一層、商品情報提供者情報に含まれる品質理解のための情報や情報提供者情報に含まれる第２の情報の高品質化が期待できる。なお、商品提供者が選択する商品情報提供者情報や情報提供者情報は、単数であっても複数であっても良い。
【００２１】
また、商品情報提供者情報として、第１の還元率の情報が商品情報提供者情報記録手段に記録される場合には、品質理解のための情報が利用された場合の還元率を特定することができる。
【００２２】
なお、商品情報提供者情報は商品情報提供者の端末から送信される情報であるために、換言すると、第１の還元率の情報を商品情報提供者自身が決定し、商品情報提供者情報記録手段に記録することによって、品質理解のための情報が利用されたいという商品情報提供者のインセンティブが高まることを期待できる。そして、こうしたインセンティブの高まりに伴って、商品情報提供者情報に含まれる品質理解のための情報の高品質化も期待できる。
【００２３】
また、情報提供者情報として、第２の還元率の情報が情報提供者情報記録手段に記録される場合には、第２の情報が利用された場合の還元率を特定することができる。
【００２４】
なお、情報提供者情報は情報提供者の端末から送信される情報であるために、換言すると、第２の還元率の情報を情報提供者自身が決定し、情報提供者情報記録手段に記録することによって、第２の情報が利用されたいという情報提供者のインセンティブが高まることを期待できる。そして、こうしたインセンティブの高まりに伴って、情報提供者情報に含まれる第２の情報の高品質化も期待できる。
【００２５】
また、上記の目的を達成するために、本発明の商品情報提供システムは、所定の商品の情報を含み、商品提供者の端末から送信された情報を、商品提供者情報として記録する商品提供者情報記録手段と、前記商品提供者が提供する前記商品の情報と、前記商品提供者が提供する前記商品の品質理解のための情報を含み、前記商品提供者とは異なる商品情報提供者の端末から送信された情報を、商品情報提供者情報として記録する商品情報提供者情報記録手段と、所定の第１の情報を含み、前記商品提供者及び前記商品情報提供者とは異なる第１の情報提供者の端末から送信された情報を、第１の情報提供者情報として記録する第１の情報提供者情報記録手段と、前記第１の情報と対応付けられた第２の情報を含み、前記商品提供者及び前記商品情報提供者及び前記第１の情報提供者とは異なる第２の情報提供者の端末から送信された情報を、第２の情報提供者情報として記録する第２の情報提供者情報記録手段と、前記商品情報提供者情報記録手段に記録された前記商品情報提供者情報のうち、前記商品提供者が選択した商品情報提供者情報である選択商品情報提供者情報に含まれる前記品質理解のための情報、若しくは、前記選択商品情報提供者情報に含まれる前記品質理解のための情報にアクセス可能な識別情報を出力すると共に、前記第２の情報提供者情報記録手段に記録された前記第２の情報提供者情報のうち、前記第１の情報提供者が選択した第２の情報提供者情報である選択情報提供者情報に含まれる前記第２の情報、若しくは、前記選択情報提供者情報に含まれる前記第２の情報にアクセス可能な識別情報を出力する情報出力手段と、前記情報出力手段が情報を出力することによって、前記品質理解のための情報が利用された前記商品情報提供者、及び、前記第２の情報が利用された前記第２の情報提供者に対して、ポイントを付与するポイント付与手段と、を備える。
【００２６】
ここで、商品提供者情報として、所定の商品の情報が商品提供者情報記録手段に記録されることによって、商品提供者が提供する所定の商品を特定することができる。
【００２７】
また、商品情報提供者情報として、商品提供者が提供する商品の情報が商品情報提供者情報記録手段に記録されることによって、商品提供者が提供する所定の商品を商品情報提供者の立場で特定することができる。
【００２８】
そして、所定の商品の特定を、商品提供者と商品情報提供者の双方の情報に基づいて行うことによって、情報の改竄や偽造等を抑止することができる。
即ち、同一内容であるべき情報（所定の商品の情報）について、それを提供する側（商品提供者）とそれ以外（商品情報提供者）の双方から記録することによって、情報の改竄や偽造等を抑止することができる。
なお、商品提供者情報記録手段が、商品情報提供者情報記録手段と異なる場合には、より一層情報の改竄や偽造等を抑止することができる。
【００２９】
また、商品情報提供者情報として、品質理解のための情報が商品情報提供者情報記録手段に記録されることによって、商品提供者が提供する商品の品質を商品情報提供者の立場で特定することができる。
【００３０】
ここで、商品提供者情報として、品質理解のための情報が商品提供者情報記録手段に記録される場合には、商品提供者が提供する商品の品質を特定することができる。
【００３１】
そして、所定の商品の品質の特定を、商品提供者と商品情報提供者の双方の情報に基づいて行うことによって、情報の改竄や偽造等を抑止することができる。
即ち、同一内容であるべき情報（商品の品質理解のための情報）について、それを提供する側（商品提供者）とそれ以外（商品情報提供者）の双方から記録することによって、情報の改竄や偽造等を抑止することができる。そして、情報の改竄や偽造等の抑止が実現できることから、商品情報提供者が提供する商品情報提供者情報は、商品提供者が提供する所定の商品の品質を保証するといった役割をも果たすこととなる。そのため、品質を保証してくれる商品情報提供者（即ち、選択商品情報提供者情報を記録した商品情報提供者）を、所定の表示を用いて知らしめた場合には、商品提供者の商品の販売促進が期待できる。
なお、商品提供者情報記録手段が、商品情報提供者情報記録手段と異なる場合には、より一層情報の改竄や偽造等を抑止することができる。
【００３２】
また、第１の情報提供者情報として、第１の情報が第１の情報提供者情報記録手段に記録され、かつ、第２の情報提供者情報として、第２の情報が第２の情報提供者情報記録手段に記録されることによって、対応付けられた２つの情報（第１の情報、第２の情報）を異なる者（第１の情報提供者、第２の情報提供者）が記録することになる。そのため、情報の改竄や偽造等を抑止することができると共に、充分な量の情報の蓄積が期待できる。
【００３３】
また、情報出力手段が、選択商品情報提供者情報に含まれる品質理解のための情報、若しくは、品質理解のための情報にアクセス可能な識別情報を出力することによって、消費者は商品情報提供者が特定した商品提供者の商品の品質を把握することができる。
更に、情報出力手段が、選択情報提供者情報に含まれる第２の情報、若しくは、第２の情報にアクセス可能な識別情報を出力することによって、消費者は情報提供者が記録した第２の情報を把握することができる。
【００３４】
また、ポイント付与手段が品質理解のための情報が利用された商品情報提供者に対してポイントを付与することによって、品質理解のための情報が利用されたいという商品情報提供者のインセンティブを高めることができる。
同様に、ポイント付与手段が第２の情報が利用された情報提供者に対してポイントを付与することによって、第２の情報が利用されたいという情報提供者のインセンティブを高めることができる。
【００３５】
また、ポイントを付与される対象は、商品提供者が選択した商品情報提供者情報や、第１の情報提供者が選択した第２の情報提供者情報であるために、換言すると、商品提供者に選択された商品情報提供者情報や第１の情報提供者に選択された第２の情報提供者情報のみが利用されるために、商品情報提供者情報や第２の情報提供者情報が利用されたい商品情報提供者同士、第２の情報提供者同士での競争が生まれ、より一層、商品情報提供者情報に含まれる品質理解のための情報や第２の情報提供者情報に含まれる第２の情報の高品質化が期待できる。なお、商品提供者が選択する商品情報提供者情報や、第１の情報提供者が選択する第２の情報提供者情報は、単数であっても複数であっても良い。
【００３６】
また、商品情報提供者情報として、第１の還元率の情報が商品情報提供者情報記録手段に記録される場合には、品質理解のための情報が利用された場合の還元率を特定することができる。
【００３７】
なお、商品情報提供者情報は商品情報提供者の端末から送信される情報であるために、換言すると、第１の還元率の情報を商品情報提供者自身が決定し、商品情報提供者情報記録手段に記録することによって、品質理解のための情報が利用されたいという商品情報提供者のインセンティブが高まることを期待できる。そして、こうしたインセンティブの高まりに伴って、商品情報提供者情報に含まれる品質理解のための情報の高品質化も期待できる。
【００３８】
また、第２の情報提供者情報として、第２の還元率の情報が第２の情報提供者情報記録手段に記録される場合には、第２の情報が利用された場合の還元率を特定することができる。
【００３９】
なお、第２の情報提供者情報は第２の情報提供者の端末から送信される情報であるために、換言すると、第２の還元率の情報を第２の情報提供者自身が決定し、第２の情報提供者情報記録手段に記録することによって、第２の情報が利用されたいという第２の情報提供者のインセンティブが高まることを期待できる。そして、こうしたインセンティブの高まりに伴って、第２の情報提供者情報に含まれる第２の情報の高品質化も期待できる。
【００４０】
また、上記の目的を達成するために、本発明の商品情報提供システムは、商品提供者が提供する商品の品質理解のための情報を含み、前記商品提供者とは異なる商品情報提供者の端末から送信された情報を、商品情報提供者情報として記録する商品情報提供者情報記録手段と、所定の第１の情報を含み、前記商品提供者及び前記商品情報提供者とは異なる第１の情報提供者の端末から送信された情報を、第１の情報提供者情報として記録する第１の情報提供者情報記録手段と、前記第１の情報と対応付けられた第２の情報を含み、前記商品提供者及び前記商品情報提供者及び前記第１の情報提供者とは異なる第２の情報提供者の端末から送信された情報を、第２の情報提供者情報として記録する第２の情報提供者情報記録手段と、前記商品情報提供者情報記録手段に記録された前記商品情報提供者情報のうち、前記商品提供者が選択した商品情報提供者情報である選択商品情報提供者情報に含まれる前記品質理解のための情報、若しくは、前記選択商品情報提供者情報に含まれる前記品質理解のための情報にアクセス可能な識別情報を出力すると共に、前記第２の情報提供者情報記録手段に記録された前記第２の情報提供者情報のうち、前記第１の情報提供者が選択した第２の情報提供者情報である選択情報提供者情報に含まれる前記第２の情報、若しくは、前記選択情報提供者情報に含まれる前記第２の情報にアクセス可能な識別情報を出力する情報出力手段と、前記情報出力手段が情報を出力することによって、前記品質理解のための情報が利用された前記商品情報提供者、及び、前記第２の情報が利用された前記第２の情報提供者に対して、ポイントを付与するポイント付与手段と、を備える。
【００４１】
ここで、商品情報提供者情報として、品質理解のための情報が商品情報提供者情報記録手段に記録されることによって、商品提供者が提供する商品の品質を商品情報提供者の立場で特定することができる。
【００４２】
また、第１の情報提供者情報として、第１の情報が第１の情報提供者情報記録手段に記録され、かつ、第２の情報提供者情報として、第２の情報が第２の情報提供者情報記録手段に記録されることによって、対応付けられた２つの情報（第１の情報、第２の情報）を異なる者（第１の情報提供者、第２の情報提供者）が記録することになる。そのため、情報の改竄や偽造等を抑止することができると共に、充分な量の情報の蓄積が期待できる。
【００４３】
また、情報出力手段が、選択商品情報提供者情報に含まれる品質理解のための情報、若しくは、品質理解のための情報にアクセス可能な識別情報を出力することによって、消費者は商品情報提供者が特定した商品提供者の商品の品質を把握することができる。
更に、情報出力手段が、選択情報提供者情報に含まれる第２の情報、若しくは、第２の情報にアクセス可能な識別情報を出力することによって、消費者は情報提供者が記録した第２の情報を把握することができる。
【００４４】
また、ポイントを付与される対象は、商品提供者が選択した商品情報提供者情報や、第１の情報提供者が選択した第２の情報提供者情報であるために、換言すると、商品提供者に選択された商品情報提供者情報や第１の情報提供者に選択された第２の情報提供者情報のみが利用されるために、商品情報提供者情報や第２の情報提供者情報が利用されたい商品情報提供者同士、第２の情報提供者同士での競争が生まれ、より一層、商品情報提供者情報に含まれる品質理解のための情報や第２の情報提供者情報に含まれる第２の情報の高品質化が期待できる。なお、商品提供者が選択する商品情報提供者情報や、第１の情報提供者が選択する第２の情報提供者情報は、単数であっても複数であっても良い。
【００４５】
また、商品情報提供者情報として、第１の還元率の情報が商品情報提供者情報記録手段に記録される場合には、品質理解のための情報が利用された場合の還元率を特定することができる。
【００４６】
なお、商品情報提供者情報は商品情報提供者の端末から送信される情報であるために、換言すると、第１の還元率の情報を商品情報提供者自身が決定し、商品情報提供者情報記録手段に記録することによって、品質理解のための情報が利用されたいという商品情報提供者のインセンティブが高まることを期待できる。そして、こうしたインセンティブの高まりに伴って、商品情報提供者情報に含まれる品質理解のための情報の高品質化も期待できる。
【００４７】
また、第２の情報提供者情報として、第２の還元率の情報が第２の情報提供者情報記録手段に記録される場合には、第２の情報が利用された場合の還元率を特定することができる。
【００４８】
なお、第２の情報提供者情報は第２の情報提供者の端末から送信される情報であるために、換言すると、第２の還元率の情報を第２の情報提供者自身が決定し、第２の情報提供者情報記録手段に記録することによって、第２の情報が利用されたいという第２の情報提供者のインセンティブが高まることを期待できる。そして、こうしたインセンティブの高まりに伴って、第２の情報提供者情報に含まれる第２の情報の高品質化も期待できる。
【００４９】
また、上記の目的を達成するために、本発明のサービス情報提供システムは、所定のサービスの情報と、所定の第１の情報を含み、サービス提供者の端末から送信された情報を、サービス提供者情報として記録するサービス提供者情報記録手段と、前記サービス提供者が提供する前記サービスの情報と、前記サービス提供者が提供する前記サービスの品質理解のための情報を含み、前記サービス提供者とは異なるサービス情報提供者の端末から送信された情報を、サービス情報提供者情報として記録するサービス情報提供者情報記録手段と、前記第１の情報と対応付けられた第２の情報を含み、前記サービス提供者及び前記サービス情報提供者とは異なる情報提供者の端末から送信された情報を、情報提供者情報として記録する情報提供者情報記録手段と、前記サービス情報提供者情報記録手段に記録された前記サービス情報提供者情報のうち、前記サービス提供者が選択したサービス情報提供者情報である選択サービス情報提供者情報に含まれる前記品質理解のための情報、若しくは、前記選択サービス情報提供者情報に含まれる前記品質理解のための情報にアクセス可能な識別情報を出力すると共に、前記情報提供者情報記録手段に記録された前記情報提供者情報のうち、前記サービス提供者が選択した情報提供者情報である選択情報提供者情報に含まれる前記第２の情報、若しくは、前記選択情報提供者情報に含まれる前記第２の情報にアクセス可能な識別情報を出力する情報出力手段と、前記情報出力手段が情報を出力することによって、前記品質理解のための情報が利用された前記サービス情報提供者、及び、前記第２の情報が利用された前記情報提供者に対して、ポイントを付与するポイント付与手段と、を備える。
【００５０】
ここで、サービス提供者情報として、所定のサービスの情報がサービス提供者情報記録手段に記録されることによって、サービス提供者が提供する所定のサービスを特定することができる。
【００５１】
また、サービス情報提供者情報として、サービス提供者が提供するサービスの情報がサービス情報提供者情報記録手段に記録されることによって、サービス提供者が提供する所定のサービスをサービス情報提供者の立場で特定することができる。
【００５２】
そして、所定のサービスの特定を、サービス提供者とサービス情報提供者の双方の情報に基づいて行うことによって、情報の改竄や偽造等を抑止することができる。
即ち、同一内容であるべき情報（所定のサービスの情報）について、それを提供する側（サービス提供者）とそれ以外（サービス情報提供者）の双方から記録することによって、情報の改竄や偽造等を抑止することができる。
なお、サービス提供者情報記録手段が、サービス情報提供者情報記録手段と異なる場合には、より一層情報の改竄や偽造等を抑止することができる。
【００５３】
また、サービス情報提供者情報として、品質理解のための情報がサービス情報提供者情報記録手段に記録されることによって、サービス提供者が提供するサービスの品質をサービス情報提供者の立場で特定することができる。
【００５４】
ここで、サービス提供者情報として、品質理解のための情報がサービス提供者情報記録手段に記録される場合には、サービス提供者が提供するサービスの品質を特定することができる。
【００５５】
そして、所定のサービスの品質の特定を、サービス提供者とサービス情報提供者の双方の情報に基づいて行うことによって、情報の改竄や偽造等を抑止することができる。
即ち、同一内容であるべき情報（サービスの品質理解のための情報）について、それを提供する側（サービス提供者）とそれ以外（サービス情報提供者）の双方から記録することによって、情報の改竄や偽造等を抑止することができる。そして、情報の改竄や偽造等の抑止が実現できることから、サービス情報提供者が提供するサービス情報提供者情報は、サービス提供者が提供する所定のサービスの品質を保証するといった役割をも果たすこととなる。そのため、品質を保証してくれるサービス情報提供者（即ち、選択サービス情報提供者情報を記録したサービス情報提供者）を、所定の表示を用いて知らしめた場合には、サービス提供者のサービスの販売促進が期待できる。
なお、サービス提供者情報記録手段が、サービス情報提供者情報記録手段と異なる場合には、より一層情報の改竄や偽造等を抑止することができる。
【００５６】
また、サービス提供者情報として、第１の情報がサービス提供者情報記録手段に記録され、かつ、情報提供者情報として、第２の情報が情報提供者情報記録手段に記録されることによって、対応付けられた２つの情報（第１の情報、第２の情報）を、異なる者（サービス提供者、情報提供者）が記録することになる。そのため、情報の改竄や偽造等を抑止することができると共に、充分な量の情報の蓄積が期待できる。
【００５７】
また、情報出力手段が、選択サービス情報提供者情報に含まれる品質理解のための情報、若しくは、品質理解のための情報にアクセス可能な識別情報を出力することによって、消費者はサービス情報提供者が特定したサービス提供者のサービスの品質を把握することができる。
更に、情報出力手段が、選択情報提供者情報に含まれる第２の情報、若しくは、第２の情報にアクセス可能な識別情報を出力することによって、消費者は情報提供者が記録した第２の情報を把握することができる。
【００５８】
また、ポイント付与手段が品質理解のための情報が利用されたサービス情報提供者に対してポイントを付与することによって、品質理解のための情報が利用されたいというサービス情報提供者のインセンティブを高めることができる。
同様に、ポイント付与手段が第２の情報が利用された情報提供者に対してポイントを付与することによって、第２の情報が利用されたいという情報提供者のインセンティブを高めることができる。
【００５９】
また、ポイントを付与される対象は、サービス提供者が選択したサービス情報提供者情報や情報提供者情報であるために、換言すると、サービス提供者に選択されたサービス情報提供者情報や情報提供者情報のみが利用されるために、サービス情報提供者情報や情報提供者情報が利用されたいサービス情報提供者同士、情報提供者同士での競争が生まれ、より一層、サービス情報提供者情報に含まれる品質理解のための情報や情報提供者情報に含まれる第２の情報の高品質化が期待できる。なお、サービス提供者が選択するサービス情報提供者情報や情報提供者情報は、単数であっても複数であっても良い。
【００６０】
また、サービス情報提供者情報として、第１の還元率の情報がサービス情報提供者情報記録手段に記録される場合には、品質理解のための情報が利用された場合の還元率を特定することができる。
【００６１】
なお、サービス情報提供者情報はサービス情報提供者の端末から送信される情報であるために、換言すると、第１の還元率の情報をサービス情報提供者自身が決定し、サービス情報提供者情報記録手段に記録することによって、品質理解のための情報が利用されたいというサービス情報提供者のインセンティブが高まることを期待できる。そして、こうしたインセンティブの高まりに伴って、サービス情報提供者情報に含まれる品質理解のための情報の高品質化も期待できる。
【００６２】
また、情報提供者情報として、第２の還元率の情報が情報提供者情報記録手段に記録される場合には、第２の情報が利用された場合の還元率を特定することができる。
【００６３】
なお、情報提供者情報は情報提供者の端末から送信される情報であるために、換言すると、第２の還元率の情報を情報提供者自身が決定し、情報提供者情報記録手段に記録することによって、第２の情報が利用されたいという情報提供者のインセンティブが高まることを期待できる。そして、こうしたインセンティブの高まりに伴って、情報提供者情報に含まれる第２の情報の高品質化も期待できる。
【００６４】
また、上記の目的を達成するために、本発明のサービス情報提供システムは、所定のサービスの情報を含み、サービス提供者の端末から送信された情報を、サービス提供者情報として記録するサービス提供者情報記録手段と、前記サービス提供者が提供する前記サービスの情報と、前記サービス提供者が提供する前記サービスの品質理解のための情報を含み、前記サービス提供者とは異なるサービス情報提供者の端末から送信された情報を、サービス情報提供者情報として記録するサービス情報提供者情報記録手段と、所定の第１の情報を含み、前記サービス提供者及び前記サービス情報提供者とは異なる第１の情報提供者の端末から送信された情報を、第１の情報提供者情報として記録する第１の情報提供者情報記録手段と、前記第１の情報と対応付けられた第２の情報を含み、前記サービス提供者及び前記サービス情報提供者及び前記第１の情報提供者とは異なる第２の情報提供者の端末から送信された情報を、第２の情報提供者情報として記録する第２の情報提供者情報記録手段と、前記サービス情報提供者情報記録手段に記録された前記サービス情報提供者情報のうち、前記サービス提供者が選択したサービス情報提供者情報である選択サービス情報提供者情報に含まれる前記品質理解のための情報、若しくは、前記選択サービス情報提供者情報に含まれる前記品質理解のための情報にアクセス可能な識別情報を出力すると共に、前記第２の情報提供者情報記録手段に記録された前記第２の情報提供者情報のうち、前記第１の情報提供者が選択した第２の情報提供者情報である選択情報提供者情報に含まれる前記第２の情報、若しくは、前記選択情報提供者情報に含まれる前記第２の情報にアクセス可能な識別情報を出力する情報出力手段と、前記情報出力手段が情報を出力することによって、前記品質理解のための情報が利用された前記サービス情報提供者、及び、前記第２の情報が利用された前記第２の情報提供者に対して、ポイントを付与するポイント付与手段と、を備える。
【００６５】
ここで、サービス提供者情報として、所定のサービスの情報がサービス提供者情報記録手段に記録されることによって、サービス提供者が提供する所定のサービスを特定することができる。
【００６６】
また、サービス情報提供者情報として、サービス提供者が提供するサービスの情報がサービス情報提供者情報記録手段に記録されることによって、サービス提供者が提供する所定のサービスをサービス情報提供者の立場で特定することができる。
【００６７】
そして、所定のサービスの特定を、サービス提供者とサービス情報提供者の双方の情報に基づいて行うことによって、情報の改竄や偽造等を抑止することができる。
即ち、同一内容であるべき情報（所定のサービスの情報）について、それを提供する側（サービス提供者）とそれ以外（サービス情報提供者）の双方から記録することによって、情報の改竄や偽造等を抑止することができる。
なお、サービス提供者情報記録手段が、サービス情報提供者情報記録手段と異なる場合には、より一層情報の改竄や偽造等を抑止することができる。
【００６８】
また、サービス情報提供者情報として、品質理解のための情報がサービス情報提供者情報記録手段に記録されることによって、サービス提供者が提供するサービスの品質をサービス情報提供者の立場で特定することができる。
【００６９】
ここで、サービス提供者情報として、品質理解のための情報がサービス提供者情報記録手段に記録される場合には、サービス提供者が提供するサービスの品質を特定することができる。
【００７０】
そして、所定のサービスの品質の特定を、サービス提供者とサービス情報提供者の双方の情報に基づいて行うことによって、情報の改竄や偽造等を抑止することができる。
即ち、同一内容であるべき情報（サービスの品質理解のための情報）について、それを提供する側（サービス提供者）とそれ以外（サービス情報提供者）の双方から記録することによって、情報の改竄や偽造等を抑止することができる。そして、情報の改竄や偽造等の抑止が実現できることから、サービス情報提供者が提供するサービス情報提供者情報は、サービス提供者が提供する所定のサービスの品質を保証するといった役割をも果たすこととなる。そのため、品質を保証してくれるサービス情報提供者（即ち、選択サービス情報提供者情報を記録したサービス情報提供者）を、所定の表示を用いて知らしめた場合には、サービス提供者のサービスの販売促進が期待できる。
なお、サービス提供者情報記録手段が、サービス情報提供者情報記録手段と異なる場合には、より一層情報の改竄や偽造等を抑止することができる。
【００７１】
また、第１の情報提供者情報として、第１の情報が第１の情報提供者情報記録手段に記録され、かつ、第２の情報提供者情報として、第２の情報が第２の情報提供者情報記録手段に記録されることによって、対応付けられた２つの情報（第１の情報、第２の情報）を異なる者（第１の情報提供者、第２の情報提供者）が記録することになる。そのため、情報の改竄や偽造等を抑止することができると共に、充分な量の情報の蓄積が期待できる。
【００７２】
また、情報出力手段が、選択サービス情報提供者情報に含まれる品質理解のための情報、若しくは、品質理解のための情報にアクセス可能な識別情報を出力することによって、消費者はサービス情報提供者が特定したサービス提供者のサービスの品質を把握することができる。
更に、情報出力手段が、選択情報提供者情報に含まれる第２の情報、若しくは、第２の情報にアクセス可能な識別情報を出力することによって、消費者は情報提供者が記録した第２の情報を把握することができる。
【００７３】
また、ポイント付与手段が品質理解のための情報が利用されたサービス情報提供者に対してポイントを付与することによって、品質理解のための情報が利用されたいというサービス情報提供者のインセンティブを高めることができる。
同様に、ポイント付与手段が第２の情報が利用された情報提供者に対してポイントを付与することによって、第２の情報が利用されたいという情報提供者のインセンティブを高めることができる。
【００７４】
また、ポイントを付与される対象は、サービス提供者が選択したサービス情報提供者情報や、第１の情報提供者が選択した第２の情報提供者情報であるために、換言すると、サービス提供者に選択されたサービス情報提供者情報や第１の情報提供者に選択された第２の情報提供者情報のみが利用されるために、サービス情報提供者情報や第２の情報提供者情報が利用されたいサービス情報提供者同士、第２の情報提供者同士での競争が生まれ、より一層、サービス情報提供者情報に含まれる品質理解のための情報や第２の情報提供者情報に含まれる第２の情報の高品質化が期待できる。なお、サービス提供者が選択するサービス情報提供者情報や、第１の情報提供者が選択する第２の情報提供者情報は、単数であっても複数であっても良い。
【００７５】
また、サービス情報提供者情報として、第１の還元率の情報がサービス情報提供者情報記録手段に記録される場合には、品質理解のための情報が利用された場合の還元率を特定することができる。
【００７６】
なお、サービス情報提供者情報はサービス情報提供者の端末から送信される情報であるために、換言すると、第１の還元率の情報をサービス情報提供者自身が決定し、サービス情報提供者情報記録手段に記録することによって、品質理解のための情報が利用されたいというサービス情報提供者のインセンティブが高まることを期待できる。そして、こうしたインセンティブの高まりに伴って、サービス情報提供者情報に含まれる品質理解のための情報の高品質化も期待できる。
【００７７】
また、第２の情報提供者情報として、第２の還元率の情報が第２の情報提供者情報記録手段に記録される場合には、第２の情報が利用された場合の還元率を特定することができる。
【００７８】
なお、第２の情報提供者情報は第２の情報提供者の端末から送信される情報であるために、換言すると、第２の還元率の情報を第２の情報提供者自身が決定し、第２の情報提供者情報記録手段に記録することによって、第２の情報が利用されたいという第２の情報提供者のインセンティブが高まることを期待できる。そして、こうしたインセンティブの高まりに伴って、第２の情報提供者情報に含まれる第２の情報の高品質化も期待できる。
【００７９】
また、上記の目的を達成するために、本発明のサービス情報提供システムは、サービス提供者が提供するサービスの品質理解のための情報を含み、前記サービス提供者とは異なるサービス情報提供者の端末から送信された情報を、サービス情報提供者情報として記録するサービス情報提供者情報記録手段と、所定の第１の情報を含み、前記サービス提供者及び前記サービス情報提供者とは異なる第１の情報提供者の端末から送信された情報を、第１の情報提供者情報として記録する第１の情報提供者情報記録手段と、前記第１の情報と対応付けられた第２の情報を含み、前記サービス提供者及び前記サービス情報提供者及び前記第１の情報提供者とは異なる第２の情報提供者の端末から送信された情報を、第２の情報提供者情報として記録する第２の情報提供者情報記録手段と、前記サービス情報提供者情報記録手段に記録された前記サービス情報提供者情報のうち、前記サービス提供者が選択したサービス情報提供者情報である選択サービス情報提供者情報に含まれる前記品質理解のための情報、若しくは、前記選択サービス情報提供者情報に含まれる前記品質理解のための情報にアクセス可能な識別情報を出力すると共に、前記第２の情報提供者情報記録手段に記録された前記第２の情報提供者情報のうち、前記第１の情報提供者が選択した第２の情報提供者情報である選択情報提供者情報に含まれる前記第２の情報、若しくは、前記選択情報提供者情報に含まれる前記第２の情報にアクセス可能な識別情報を出力する情報出力手段と、前記情報出力手段が情報を出力することによって、前記品質理解のための情報が利用された前記サービス情報提供者、及び、前記第２の情報が利用された前記第２の情報提供者に対して、ポイントを付与するポイント付与手段と、を備える。
【００８０】
ここで、サービス情報提供者情報として、品質理解のための情報がサービス情報提供者情報記録手段に記録されることによって、サービス提供者が提供するサービスの品質をサービス情報提供者の立場で特定することができる。
【００８１】
また、第１の情報提供者情報として、第１の情報が第１の情報提供者情報記録手段に記録され、かつ、第２の情報提供者情報として、第２の情報が第２の情報提供者情報記録手段に記録されることによって、対応付けられた２つの情報（第１の情報、第２の情報）を異なる者（第１の情報提供者、第２の情報提供者）が記録することになる。そのため、情報の改竄や偽造等を抑止することができると共に、充分な量の情報の蓄積が期待できる。
【００８２】
また、情報出力手段が、選択サービス情報提供者情報に含まれる品質理解のための情報、若しくは、品質理解のための情報にアクセス可能な識別情報を出力することによって、消費者はサービス情報提供者が特定したサービス提供者のサービスの品質を把握することができる。
更に、情報出力手段が、選択情報提供者情報に含まれる第２の情報、若しくは、第２の情報にアクセス可能な識別情報を出力することによって、消費者は情報提供者が記録した第２の情報を把握することができる。
【００８３】
また、ポイントを付与される対象は、サービス提供者が選択したサービス情報提供者情報や、第１の情報提供者が選択した第２の情報提供者情報であるために、換言すると、サービス提供者に選択されたサービス情報提供者情報や第１の情報提供者に選択された第２の情報提供者情報のみが利用されるために、サービス情報提供者情報や第２の情報提供者情報が利用されたいサービス情報提供者同士、第２の情報提供者同士での競争が生まれ、より一層、サービス情報提供者情報に含まれる品質理解のための情報や第２の情報提供者情報に含まれる第２の情報の高品質化が期待できる。なお、サービス提供者が選択するサービス情報提供者情報や、第１の情報提供者が選択する第２の情報提供者情報は、単数であっても複数であっても良い。
【００８４】
また、サービス情報提供者情報として、第１の還元率の情報がサービス情報提供者情報記録手段に記録される場合には、品質理解のための情報が利用された場合の還元率を特定することができる。
【００８５】
なお、サービス情報提供者情報はサービス情報提供者の端末から送信される情報であるために、換言すると、第１の還元率の情報をサービス情報提供者自身が決定し、サービス情報提供者情報記録手段に記録することによって、品質理解のための情報が利用されたいというサービス情報提供者のインセンティブが高まることを期待できる。そして、こうしたインセンティブの高まりに伴って、サービス情報提供者情報に含まれる品質理解のための情報の高品質化も期待できる。
【００８６】
また、第２の情報提供者情報として、第２の還元率の情報が第２の情報提供者情報記録手段に記録される場合には、第２の情報が利用された場合の還元率を特定することができる。
【００８７】
なお、第２の情報提供者情報は第２の情報提供者の端末から送信される情報であるために、換言すると、第２の還元率の情報を第２の情報提供者自身が決定し、第２の情報提供者情報記録手段に記録することによって、第２の情報が利用されたいという第２の情報提供者のインセンティブが高まることを期待できる。そして、こうしたインセンティブの高まりに伴って、第２の情報提供者情報に含まれる第２の情報の高品質化も期待できる。
【００８８】
ところで、ここでの「所定の商品」とは、食品も含む。また、「所定の商品」は、一次産品である場合と二次産品である場合の双方を含み、有体物である場合と無体物である場合の双方を含む。
【００８９】
また、ここでの「所定のサービス」とは、顧客のためになされる種々の奉仕や、他人のために尽力すること、を意味し、有償であるか無償であるかは問わない。
【００９０】
また、ここでの「品質理解のための情報にアクセス可能な識別情報」とは、例えば、通信回線を介して「品質理解のための情報」が掲載されたウェブサイトにアクセスすることができる二次元バーコートやカラーコード等の識別子を意味する。
同様に、ここでの「第２の情報にアクセス可能な識別情報」とは、例えば、通信回線を介して「第２の情報」が掲載されたウェブサイトにアクセスすることができる二次元バーコードやカラーコード等の識別子を意味する。
【００９１】
更に、ここでの「ポイント」とは、景品や商品と交換したり、値引きしたり、次回以降の購入代金の一部に充当したりすることができる点数を意味し、換金できる点数、換金できない点数、のいずれも含むものである。
【００９２】
また、「所定の商品」が食品（一次産品）である場合の「商品の品質理解のための情報」や、「所定のサービス」が食品（一次産品）の加工である場合の「サービスの品質理解のための情報」としては、例えば、以下に示す付属物の情報が挙げられる。なお、食品以外の商品（一次産品）や、食品以外の商品（一次産品）の加工である場合の付属物については、以下の付属物の説明中の「食品」を「商品」に読み替えるものとする。
【００９３】
［一次産品の付属物１］
所定の食品の生産に関与した土壌、水、海水、海底水、アルカリ水、海底水から採取した塩、海底泥、海藻、肥料、土壌消毒剤、殺菌剤、抗菌剤、農薬、種子、土壌中の生き物、水中の生き物、草、養殖用飼料、昆虫類、忌避植物、飼料、赤身肉化剤、抗生物質、成長ホルモン剤、ビニールハウスのビニールと略同質のビニールの少なくとも１つ。
【００９４】
［一次産品の付属物２］
所定の食品の生産地における種まきや苗植え前の土壌、及び、所定の食品の生産地における収穫後の土壌。
【００９５】
［一次産品の付属物３］
所定の食品の生産に関与した土壌、水、海水、海底水、アルカリ水、海底水から採取した塩、海藻の少なくとも１つである生産関与物本体と、生産関与物本体の採取地の情報である採取地情報とを有するもの。
【００９６】
［一次産品の付属物４］
所定の食品の生産地で得られた草。
【００９７】
［一次産品の付属物５］
所定の食品の生産に関与した外国産の飼料である草、所定の食品の生産に関与した国内産の飼料である草、所定の食品の生産に関与した外国産の穀物飼料、所定の食品の生産に関与した国内産の穀物飼料の少なくとも１つ。
【００９８】
［一次産品の付属物６］
所定の食品の生産に関与した飼料と略同一であり、穀物部分と、抗生物質及び成長ホルモン剤部分とが別個の状態に構成されたもの。
【００９９】
［一次産品の付属物７］
所定の食品と略同一条件で所定の食品とは別体で成長した代替食品。
【０１００】
［一次産品の付属物８］
所定の食品と略同一条件で所定の食品とは別体で成長した代替食品の粉末。
【０１０１】
［一次産品の付属物９］
所定の食品と略同一条件で所定の食品とは別体で成長した代替食品の加工品。
【０１０２】
［一次産品の付属物１０］
所定の食品と略同一条件で所定の食品とは別体で成長した代替食品の粉末加工品。
【０１０３】
［一次産品の付属物１１］
所定の食品と略同一条件で所定の食品とは別体で成長した代替食品と一体に成長した代替一体成長物。
【０１０４】
［一次産品の付属物１２］
所定の食品と略同一条件で所定の食品とは別体で成長した代替食品と一体に成長した代替一体成長物の粉末。
【０１０５】
［一次産品の付属物１３］
所定の食品と略同一条件で所定の食品とは別体で成長した代替食品と一体に成長した代替一体成長物の加工品。
【０１０６】
［一次産品の付属物１４］
所定の食品と略同一条件で所定の食品とは別体で成長した代替食品と一体に成長した代替一体成長物の粉末加工品。
【０１０７】
［一次産品の付属物１５］
所定の食品と一体に成長した一体成長物の所定の食品とは異なる部分であり、若しくは、所定の食品と略同一条件で所定の食品とは別体で成長した代替食品と一体に成長した代替一体成長物の所定の食品に対応する部分とは異なる部分。
【０１０８】
［一次産品の付属物１６］
所定の食品と一体に成長した一体成長物の所定の食品とは異なる部分の粉末であり、若しくは、所定の食品と略同一条件で所定の食品とは別体で成長した代替食品と一体に成長した代替一体成長物の所定の食品に対応する部分とは異なる部分の粉末。
【０１０９】
［一次産品の付属物１７］
所定の食品と一体に成長した一体成長物の所定の食品とは異なる部分の加工品であり、若しくは、所定の食品と略同一条件で所定の食品とは別体で成長した代替食品と一体に成長した代替一体成長物の所定の食品に対応する部分とは異なる部分の加工品。
【０１１０】
［一次産品の付属物１８］
所定の食品と一体に成長した一体成長物の所定の食品とは異なる部分の粉末加工品であり、若しくは、所定の食品と略同一条件で所定の食品とは別体で成長した代替食品と一体に成長した代替一体成長物の所定の食品に対応する部分とは異なる部分の粉末加工品。
【０１１１】
［一次産品の付属物１９］
所定の食品の次世代の種子、若しくは、所定の食品と略同一条件で所定の食品とは別体で成長した代替食品の次世代の種子。
【０１１２】
［一次産品の付属物２０］
所定の食品の一部、若しくは、所定の食品と略同一条件で所定の食品とは別体で成長した代替食品から得られた種芋。
【０１１３】
［一次産品の付属物２１］
所定の食品と略同一条件で所定の食品とは別体で成長した代替食品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１１４】
［一次産品の付属物２２］
所定の食品と略同一条件で所定の食品とは別体で成長した代替食品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１１５】
［一次産品の付属物２３］
所定の食品と略同一条件で所定の食品とは別体で成長した代替食品の粉末と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１１６】
［一次産品の付属物２４］
所定の食品と略同一条件で所定の食品とは別体で成長した代替食品の粉末と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１１７】
［一次産品の付属物２５］
所定の食品と略同一条件で所定の食品とは別体で成長した代替食品の加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１１８】
［一次産品の付属物２６］
所定の食品と略同一条件で所定の食品とは別体で成長した代替食品の加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１１９】
［一次産品の付属物２７］
所定の食品と略同一条件で所定の食品とは別体で成長した代替食品の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１２０】
［一次産品の付属物２８］
所定の食品と略同一条件で所定の食品とは別体で成長した代替食品の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１２１】
［一次産品の付属物２９］
所定の食品と略同一条件で所定の食品とは別体で成長した代替食品と一体に成長した代替一体成長物と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１２２】
［一次産品の付属物３０］
所定の食品と略同一条件で所定の食品とは別体で成長した代替食品と一体に成長した代替一体成長物と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１２３】
［一次産品の付属物３１］
所定の食品と略同一条件で所定の食品とは別体で成長した代替食品と一体に成長した代替一体成長物の粉末と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１２４】
［一次産品の付属物３２］
所定の食品と略同一条件で所定の食品とは別体で成長した代替食品と一体に成長した代替一体成長物の粉末と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１２５】
［一次産品の付属物３３］
所定の食品と略同一条件で所定の食品とは別体で成長した代替食品と一体に成長した代替一体成長物の加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１２６】
［一次産品の付属物３４］
所定の食品と略同一条件で所定の食品とは別体で成長した代替食品と一体に成長した代替一体成長物の加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１２７】
［一次産品の付属物３５］
所定の食品と略同一条件で所定の食品とは別体で成長した代替食品と一体に成長した代替一体成長物の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１２８】
［一次産品の付属物３６］
所定の食品と略同一条件で所定の食品とは別体で成長した代替食品と一体に成長した代替一体成長物の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１２９】
［一次産品の付属物３７］
所定の食品と一体に成長した一体成長物の所定の食品とは異なる部分、若しくは、所定の食品と略同一条件で所定の食品とは別体で成長した代替食品と一体に成長した代替一体成長物の所定の食品に対応する部分とは異なる部分と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１３０】
［一次産品の付属物３８］
所定の食品と一体に成長した一体成長物の所定の食品とは異なる部分、若しくは、所定の食品と略同一条件で所定の食品とは別体で成長した代替食品と一体に成長した代替一体成長物の所定の食品に対応する部分とは異なる部分と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１３１】
［一次産品の付属物３９］
所定の食品と一体に成長した一体成長物の所定の食品とは異なる部分の粉末、若しくは、所定の食品と略同一条件で所定の食品とは別体で成長した代替食品と一体に成長した代替一体成長物の所定の食品に対応する部分とは異なる部分の粉末と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１３２】
［一次産品の付属物４０］
所定の食品と一体に成長した一体成長物の所定の食品とは異なる部分の粉末、若しくは、所定の食品と略同一条件で所定の食品とは別体で成長した代替食品と一体に成長した代替一体成長物の所定の食品に対応する部分とは異なる部分の粉末と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１３３】
［一次産品の付属物４１］
所定の食品と一体に成長した一体成長物の所定の食品とは異なる部分の加工品、若しくは、所定の食品と略同一条件で所定の食品とは別体で成長した代替食品と一体に成長した代替一体成長物の所定の食品に対応する部分とは異なる部分の加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１３４】
［一次産品の付属物４２］
所定の食品と一体に成長した一体成長物の所定の食品とは異なる部分の加工品、若しくは、所定の食品と略同一条件で所定の食品とは別体で成長した代替食品と一体に成長した代替一体成長物の所定の食品に対応する部分とは異なる部分の加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１３５】
［一次産品の付属物４３］
所定の食品と一体に成長した一体成長物の所定の食品とは異なる部分の粉末加工品、若しくは、所定の食品と略同一条件で所定の食品とは別体で成長した代替食品と一体に成長した代替一体成長物の所定の食品に対応する部分とは異なる部分の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１３６】
［一次産品の付属物４４］
所定の食品と一体に成長した一体成長物の所定の食品とは異なる部分の粉末加工品、若しくは、所定の食品と略同一条件で所定の食品とは別体で成長した代替食品と一体に成長した代替一体成長物の所定の食品に対応する部分とは異なる部分の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１３７】
［一次産品の付属物４５］
所定の食品の次世代の種子、若しくは、所定の食品と略同一条件で所定の食品とは別体で成長した代替食品の次世代の種子と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１３８】
［一次産品の付属物４６］
所定の食品の次世代の種子、若しくは、所定の食品と略同一条件で所定の食品とは別体で成長した代替食品の次世代の種子と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１３９】
［一次産品の付属物４７］
所定の食品の一部、若しくは、所定の食品と略同一条件で所定の食品とは別体で成長した代替食品から得られた種芋と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１４０】
［一次産品の付属物４８］
所定の食品の一部、若しくは、所定の食品と略同一条件で所定の食品とは別体で成長した代替食品から得られた種芋と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１４１】
［一次産品の付属物４９］
所定の食品の一部であり、若しくは、所定の食品と略同一条件で所定の食品とは別体で成長した代替食品であり、若しくは、所定の食品と一体に成長した一体成長物の所定の食品とは異なる部分であり、若しくは、所定の食品と略同一条件で所定の食品とは別体で成長した代替食品と一体に成長した代替一体成長物の所定の食品に対応する部分とは異なる部分である付属物本体が、水と共に収容されて構成されたもの。
【０１４２】
［一次産品の付属物５０］
所定の食品の一部であり、若しくは、所定の食品と略同一条件で所定の食品とは別体で成長した代替食品であり、若しくは、所定の食品と一体に成長した一体成長物の所定の食品とは異なる部分であり、若しくは、所定の食品と略同一条件で所定の食品とは別体で成長した代替食品と一体に成長した代替一体成長物の所定の食品に対応する部分とは異なる部分である付属物本体が、水と共に収容されると共に、アンモニアセンサーを有して構成されたもの。
【０１４３】
［一次産品の付属物５１］
所定の食品の収穫後に使用された農薬。
【０１４４】
［一次産品の付属物５２］
所定の食品の生産の後に同所定の食品に関与した燻蒸剤、消毒剤、殺菌剤、抗菌剤、防かび剤、防腐剤、被膜剤、酸化防止剤、除草剤、殺虫剤、漂白殺菌剤、若しくは、薬剤の少なくとも１つ。
【０１４５】
［一次産品の付属物５３］
所定の食品の生産の後に同所定の食品に関与した動物用食品添加物、若しくは、成長ホルモン剤の少なくとも１つ。
【０１４６】
［一次産品の付属物５４］
所定の食品の生産と略同時期に略同一環境で成長した海藻、草、魚介類の少なくとも１つ。
【０１４７】
また、「所定の商品」が食品（二次産品）である場合の「食品の品質理解のための情報」や、「所定のサービス」が食品（二次産品）の提供（例えば、レストラン）である場合の「サービスの品質理解のための情報」としては、例えば、以下に示す付属物の情報が挙げられる。なお、食品以外の商品（二次産品）や、食品以外の商品（二次産品）の提供である場合の付属物については、以下の付属物の説明中の「食品」を「商品」に読み替えるものとする。
【０１４８】
［二次産品の付属物１］
所定の食品の原料。
【０１４９】
［二次産品の付属物２］
所定の食品の原料と略同一条件で所定の食品の原料とは別体で成長した代替原料。
【０１５０】
［二次産品の付属物３］
所定の食品の原料と略同一条件で所定の食品の原料とは別体で成長した代替原料の粉末。
【０１５１】
［二次産品の付属物４］
所定の食品の原料と略同一条件で所定の食品の原料とは別体で成長した代替原料の加工品。
【０１５２】
［二次産品の付属物５］
所定の食品の原料と略同一条件で所定の食品の原料とは別体で成長した代替原料の粉末加工品。
【０１５３】
［二次産品の付属物６］
所定の食品の原料と略同一条件で所定の食品の原料とは別体で成長した代替原料と一体に成長した代替一体成長物。
【０１５４】
［二次産品の付属物７］
所定の食品の原料と略同一条件で所定の食品の原料とは別体で成長した代替原料と一体に成長した代替一体成長物の粉末。
【０１５５】
［二次産品の付属物８］
所定の食品の原料と略同一条件で所定の食品の原料とは別体で成長した代替原料と一体に成長した代替一体成長物の加工品。
【０１５６】
［二次産品の付属物９］
所定の食品の原料と略同一条件で所定の食品の原料とは別体で成長した代替原料と一体に成長した代替一体成長物の粉末加工品。
【０１５７】
［二次産品の付属物１０］
所定の食品の原料である卵。
【０１５８】
［二次産品の付属物１１］
所定の食品の原料である卵と略同一条件で生産された代替卵。
【０１５９】
［二次産品の付属物１２］
所定の食品の生産に関与した乳酸菌、ビフィズス菌、麹、麹菌、若しくは、枯草菌の少なくとも１つ。
【０１６０】
［二次産品の付属物１３］
所定の食品の生産に関与した木樽、瓶、プラスチック製容器、若しくは、漬け床。
【０１６１】
［二次産品の付属物１４］
所定の食品の原料の生産に関与した土壌、水、海水、海底水、アルカリ水、海底水から採取した塩、海底泥、海藻、塩、肥料、土壌消毒剤、殺菌剤、抗菌剤、農薬、種子、土壌中の生き物、水中の生き物、草、養殖用飼料、昆虫類、忌避植物、飼料、赤身肉化剤、抗生物質、成長ホルモン剤、ビニールハウスのビニールと略同質のビニールの少なくとも１つ。
【０１６２】
［二次産品の付属物１５］
所定の食品の原料の生産地における種まきや苗植え前の土壌、及び、所定の食品の原料の生産地における収穫後の土壌。
【０１６３】
［二次産品の付属物１６］
所定の食品の原料の生産に関与した土壌、水、海水、海底水、アルカリ水、海底水から採取した塩、海藻の少なくとも１つである生産関与物本体と、該生産関与物本体の採取地の情報である採取地情報とを有するもの。
【０１６４】
［二次産品の付属物１７］
所定の食品の原料の生産地で得られた草。
【０１６５】
［二次産品の付属物１８］
所定の食品の原料の生産に関与した外国産の飼料である草、所定の食品の原料の生産に関与した国内産の飼料である草、所定の食品の原料の生産に関与した外国産の穀物飼料、所定の食品の原料の生産に関与した国内産の穀物飼料の少なくとも１つ。
【０１６６】
［二次産品の付属物１９］
所定の食品の原料の生産に関与した飼料と略同一であり、穀物部分と、抗生物質及び成
長ホルモン剤部分とが別個の状態に構成されたもの。
【０１６７】
［二次産品の付属物２０］
所定の食品の生産に関与した木樽の木片、所定の食品の生産に関与した木樽と略同一条件の木樽の木片、所定の食品の生産に関与した木樽の構成材と同一種類の木片、所定の食品を生産した木樽の中に同所定の食品と共に入れられた前記木樽の構成材と同一種類の木片、所定の食品に含まれる汁、若しくは、所定の食品の生産に関与した汁の少なくとも１つ。
【０１６８】
［二次産品の付属物２１］
所定の食品の原料と一体に成長した一体成長物の所定の食品の原料とは異なる部分であり、若しくは、所定の食品の原料と略同一条件で所定の食品の原料とは別体で成長した代替原料と一体に成長した代替一体成長物の所定の食品の原料に対応する部分とは異なる部分。
【０１６９】
［二次産品の付属物２２］
所定の食品の原料と一体に成長した一体成長物の所定の食品の原料とは異なる部分の粉末であり、若しくは、所定の食品の原料と略同一条件で所定の食品の原料とは別体で成長した代替原料と一体に成長した代替一体成長物の所定の食品の原料に対応する部分とは異なる部分の粉末。
【０１７０】
［二次産品の付属物２３］
所定の食品の原料と一体に成長した一体成長物の所定の食品の原料とは異なる部分の加工品であり、若しくは、所定の食品の原料と略同一条件で所定の食品の原料とは別体で成長した代替原料と一体に成長した代替一体成長物の所定の食品の原料に対応する部分とは異なる部分の加工品。
【０１７１】
［二次産品の付属物２４］
所定の食品の原料と一体に成長した一体成長物の所定の食品の原料とは異なる部分の粉末加工品であり、若しくは、所定の食品の原料と略同一条件で所定の食品の原料とは別体で成長した代替原料と一体に成長した代替一体成長物の所定の食品の原料に対応する部分とは異なる部分の粉末加工品。
【０１７２】
［二次産品の付属物２５］
所定の食品に用いられた食品添加物の総重量と同じ重量の食品添加物、所定の食品に用いられた食品添加物の総重量と同じ重量の擬似物、所定の食品に用いられた食品添加物の総体積と同じ体積の食品添加物、所定の食品に用いられた食品添加物の総体積と同じ体積の擬似物、所定の食品に用いられた食品添加物の総体積と見かけ上同じ体積の食品添加物、所定の食品に用いられた食品添加物の総体積と見かけ上同じ体積の擬似物、所定の食品に用いられた砂糖の総重量と同じ重量の砂糖、所定の食品に用いられた砂糖の総重量と同じ重量の擬似物、所定の食品に用いられた砂糖の総体積と同じ体積の砂糖、所定の食品に用いられた砂糖の総体積と同じ体積の擬似物、所定の食品に用いられた砂糖の総体積と見かけ上同じ体積の砂糖、所定の食品に用いられた砂糖の総体積と見かけ上同じ体積の擬似物、所定の食品に用いられた塩の総重量と同じ重量の塩、所定の食品に用いられた塩の総重量と同じ重量の擬似物、所定の食品に用いられた塩の総体積と同じ体積の塩、所定の食品に用いられた塩の総体積と同じ体積の擬似物、所定の食品に用いられた塩の総体積と見かけ上同じ体積の塩、所定の食品に用いられた塩の総体積と見かけ上同じ体積の擬似物、所定の食品に用いられたタンパク加水分解物の総重量と同じ重量のタンパク加水分解物、所定の食品に用いられたタンパク加水分解物の総重量と同じ重量の擬似物、所定の食品に用いられたタンパク加水分解物の総体積と同じ体積のタンパク加水分解物、所定の食品に用いられたタンパク加水分解物の総体積と同じ体積の擬似物、所定の食品に用いられたタンパク加水分解物の総体積と見かけ上同じ体積のタンパク加水分解物、所定の食品に用いられたタンパク加水分解物の総体積と見かけ上同じ体積の擬似物、所定の食品に用いられた調味料の総重量と同じ重量の調味料、所定の食品に用いられた調味料の総重量と同じ重量の擬似物、所定の食品に用いられた調味料の総体積と同じ体積の調味料、所定の食品に用いられた調味料の総体積と同じ体積の擬似物、所定の食品に用いられた調味料の総体積と見かけ上同じ体積の調味料、所定の食品に用いられた調味料の総体積と見かけ上同じ体積の擬似物、所定の食品に用いられたブドウ糖果糖液糖の総重量と同じ重量のブドウ糖果糖液糖、所定の食品に用いられたブドウ糖果糖液糖の総重量と同じ重量の擬似物、所定の食品に用いられたブドウ糖果糖液糖の総体積と同じ体積のブドウ糖果糖液糖、所定の食品に用いられたブドウ糖果糖液糖の総体積と同じ体積の擬似物、所定の食品に用いられたブドウ糖果糖液糖の総体積と見かけ上同じ体積のブドウ糖果糖液糖、所定の食品に用いられたブドウ糖果糖液糖の総体積と見かけ上同じ体積の擬似物、所定の食品に用いられた加工油脂の総重量と同じ重量の加工油脂、所定の食品に用いられた加工油脂の総重量と同じ重量の擬似物、所定の食品に用いられた加工油脂の総体積と同じ体積の加工油脂、所定の食品に用いられた加工油脂の総体積と同じ体積の擬似物、所定の食品に用いられた加工油脂の総体積と見かけ上同じ体積の加工油脂、所定の食品に用いられた加工油脂の総体積と見かけ上同じ体積の擬似物、所定の食品に用いられたトランス脂肪酸の総重量と同じ重量のトランス脂肪酸、所定の食品に用いられたトランス脂肪酸の総重量と同じ重量の擬似物、所定の食品に用いられたトランス脂肪酸の総体積と同じ体積のトランス脂肪酸、所定の食品に用いられたトランス脂肪酸の総体積と同じ体積の擬似物、所定の食品に用いられたトランス脂肪酸の総体積と見かけ上同じ体積のトランス脂肪酸、所定の食品に用いられたトランス脂肪酸の総体積と見かけ上同じ体積の擬似物、所定の食品に用いられた加工デンプンの総重量と同じ重量の加工デンプン、所定の食品に用いられた加工デンプンの総重量と同じ重量の擬似物、所定の食品に用いられた加工デンプンの総体積と同じ体積の加工デンプン、所定の食品に用いられた加工デンプンの総体積と同じ体積の擬似物、所定の食品に用いられた加工デンプンの総体積と見かけ上同じ体積の加工デンプン、所定の食品に用いられた加工デンプンの総体積と見かけ上同じ体積の擬似物、所定の食品に用いられた食品添加物のうち一括名の表示が認められた食品添加物の総重量と同じ重量の食品添加物、所定の食品に用いられた食品添加物のうち一括名の表示が認められた食品添加物の総重量と同じ重量の擬似物、所定の食品に用いられた食品添加物のうち一括名の表示が認められた食品添加物の総体積と同じ体積の食品添加物、所定の食品に用いられた食品添加物のうち一括名の表示が認められた食品添加物の総体積と同じ体積の擬似物、所定の食品に用いられた食品添加物のうち一括名の表示が認められた食品添加物の総体積と見かけ上同じ体積の食品添加物、所定の食品に用いられた食品添加物のうち一括名の表示が認められた食品添加物の総体積と見かけ上同じ体積の擬似物、所定の食品に用いられた合成ビタミンの総重量と同じ重量の合成ビタミン、所定の食品に用いられた合成ビタミンの総重量と同じ重量の擬似物、所定の食品に用いられた合成ビタミンの総体積と同じ体積の合成ビタミン、所定の食品に用いられた合成ビタミンの総体積と同じ体積の擬似物、所定の食品に用いられた合成ビタミンの総体積と見かけ上同じ体積の合成ビタミン、所定の食品に用いられた合成ビタミンの総体積と見かけ上同じ体積の擬似物、所定の食品に用いられた食品添加物のうちキャリーオーバーとみなされた食品添加物の総重量と同じ重量の食品添加物、所定の食品に用いられた食品添加物のうちキャリーオーバーとみなされた食品添加物の総重量と同じ重量の擬似物、所定の食品に用いられた食品添加物のうちキャリーオーバーとみなされた食品添加物の総体積と同じ体積の食品添加物、所定の食品に用いられた食品添加物のうちキャリーオーバーとみなされた食品添加物の総体積と同じ体積の擬似物、所定の食品に用いられた食品添加物のうちキャリーオーバーとみなされた食品添加物の総体積と見かけ上同じ体積の食品添加物、所定の食品に用いられた食品添加物のうちキャリーオーバーとみなされた食品添加物の総体積と見かけ上同じ体積の擬似物、所定の食品に用いられた食品添加物のうちキャリーオーバーとみなされた食品添加物を除く食品添加物の総重量と同じ重量の食品添加物、所定の食品に用いられた食品添加物のうちキャリーオーバーとみなされた食品添加物を除く食品添加物の総重量と同じ重量の擬似物、所定の食品に用いられた食品添加物のうちキャリーオーバーとみなされた食品添加物を除く食品添加物の総体積と同じ体積の食品添加物、所定の食品に用いられた食品添加物のうちキャリーオーバーとみなされた食品添加物を除く食品添加物の総体積と同じ体積の擬似物、所定の食品に用いられた食品添加物のうちキャリーオーバーとみなされた食品添加物を除く食品添加物の総体積と見かけ上同じ体積の食品添加物、所定の食品に用いられた食品添加物のうちキャリーオーバーとみなされた食品添加物を除く食品添加物の総体積と見かけ上同じ体積の擬似物、所定の食品に用いられた脱脂加工大豆の総重量と同じ重量の脱脂加工大豆、所定の食品に用いられた脱脂加工大豆の総重量と同じ重量の擬似物、所定の食品に用いられた脱脂加工大豆の総体積と同じ体積の脱脂加工大豆、所定の食品に用いられた脱脂加工大豆の総体積と同じ体積の擬似物、所定の食品に用いられた脱脂加工大豆の総体積と見かけ上同じ体積の脱脂加工大豆、所定の食品に用いられた脱脂加工大豆の総体積と見かけ上同じ体積の擬似物、所定の食品に用いられたリン酸塩の総重量と同じ重量のリン酸塩、所定の食品に用いられたリン酸塩の総重量と同じ重量の擬似物、所定の食品に用いられたリン酸塩の総体積と同じ体積のリン酸塩、所定の食品に用いられたリン酸塩の総体積と同じ体積の擬似物、所定の食品に用いられたリン酸塩の総体積と見かけ上同じ体積のリン酸塩、所定の食品に用いられたリン酸塩の総体積と見かけ上同じ体積の擬似物、所定の食品に用いられたソルビン酸の総重量と同じ重量のソルビン酸、所定の食品に用いられたソルビン酸の総重量と同じ重量の擬似物、所定の食品に用いられたソルビン酸の総体積と同じ体積のソルビン酸、所定の食品に用いられたソルビン酸の総体積と同じ体積の擬似物、所定の食品に用いられたソルビン酸の総体積と見かけ上同じ体積のソルビン酸、所定の食品に用いられたソルビン酸の総体積と見かけ上同じ体積の擬似物、所定の食品に用いられたアスパルテームの総重量と同じ重量のアスパルテーム、所定の食品に用いられたアスパルテームの総重量と同じ重量の擬似物、所定の食品に用いられたアスパルテームの総体積と同じ体積のアスパルテーム、所定の食品に用いられたアスパルテームの総体積と同じ体積の擬似物、所定の食品に用いられたアスパルテームの総体積と見かけ上同じ体積のアスパルテーム、所定の食品に用いられたアスパルテームの総体積と見かけ上同じ体積の擬似物の少なくとも１つ。
【０１７３】
［二次産品の付属物２６］
所定の機能別若しくは所定の用途別に分類された所定の食品に用いられた食品添加物の少なくとも一部。
【０１７４】
［二次産品の付属物２７］
所定の食品に用いられた食品添加物の総重量に所定の割合を乗じて得られた重量と同じ重量の食品添加物、所定の食品に用いられた食品添加物の総重量に所定の割合を乗じて得られた重量と同じ重量の擬似物、所定の食品に用いられた食品添加物の総体積に所定の割合を乗じて得られた体積と同じ体積の食品添加物、所定の食品に用いられた食品添加物の総体積に所定の割合を乗じて得られた体積と同じ体積の擬似物、所定の食品に用いられた食品添加物の総体積に所定の割合を乗じて得られた体積と見かけ上同じ体積の食品添加物、所定の食品に用いられた食品添加物の総体積に所定の割合を乗じて得られた体積と見かけ上同じ体積の擬似物、所定の食品に用いられた砂糖の総重量に所定の割合を乗じて得られた重量と同じ重量の砂糖、所定の食品に用いられた砂糖の総重量に所定の割合を乗じて得られた重量と同じ重量の擬似物、所定の食品に用いられた砂糖の総体積に所定の割合を乗じて得られた体積と同じ体積の砂糖、所定の食品に用いられた砂糖の総体積に所定の割合を乗じて得られた体積と同じ体積の擬似物、所定の食品に用いられた砂糖の総体積に所定の割合を乗じて得られた体積と見かけ上同じ体積の砂糖、所定の食品に用いられた砂糖の総体積に所定の割合を乗じて得られた体積と見かけ上同じ体積の擬似物、所定の食品に用いられた塩の総重量に所定の割合を乗じて得られた重量と同じ重量の塩、所定の食品に用いられた塩の総重量に所定の割合を乗じて得られた重量と同じ重量の擬似物、所定の食品に用いられた塩の総体積に所定の割合を乗じて得られた体積と同じ体積の塩、所定の食品に用いられた塩の総体積に所定の割合を乗じて得られた体積と同じ体積の擬似物、所定の食品に用いられた塩の総体積に所定の割合を乗じて得られた体積と見かけ上同じ体積の塩、所定の食品に用いられた塩の総体積に所定の割合を乗じて得られた体積と見かけ上同じ体積の擬似物、所定の食品に用いられたタンパク加水分解物の総重量に所定の割合を乗じて得られた重量と同じ重量のタンパク加水分解物、所定の食品に用いられたタンパク加水分解物の総重量に所定の割合を乗じて得られた重量と同じ重量の擬似物、所定の食品に用いられたタンパク加水分解物の総体積に所定の割合を乗じて得られた体積と同じ体積のタンパク加水分解物、所定の食品に用いられたタンパク加水分解物の総体積に所定の割合を乗じて得られた体積と同じ体積の擬似物、所定の食品に用いられたタンパク加水分解物の総体積に所定の割合を乗じて得られた体積と見かけ上同じ体積のタンパク加水分解物、所定の食品に用いられたタンパク加水分解物の総体積に所定の割合を乗じて得られた体積と見かけ上同じ体積の擬似物、所定の食品に用いられた調味料の総重量に所定の割合を乗じて得られた重量と同じ重量の調味料、所定の食品に用いられた調味料の総重量に所定の割合を乗じて得られた重量と同じ重量の擬似物、所定の食品に用いられた調味料の総体積に所定の割合を乗じて得られた体積と同じ体積の調味料、所定の食品に用いられた調味料の総体積に所定の割合を乗じて得られた体積と同じ体積の擬似物、所定の食品に用いられた調味料の総体積に所定の割合を乗じて得られた体積と見かけ上同じ体積の調味料、所定の食品に用いられた調味料の総体積に所定の割合を乗じて得られた体積と見かけ上同じ体積の擬似物、所定の食品に用いられたブドウ糖果糖液糖の総重量に所定の割合を乗じて得られた重量と同じ重量のブドウ糖果糖液糖、所定の食品に用いられたブドウ糖果糖液糖の総重量に所定の割合を乗じて得られた重量と同じ重量の擬似物、所定の食品に用いられたブドウ糖果糖液糖の総体積に所定の割合を乗じて得られた体積と同じ体積のブドウ糖果糖液糖、所定の食品に用いられたブドウ糖果糖液糖の総体積に所定の割合を乗じて得られた体積と同じ体積の擬似物、所定の食品に用いられたブドウ糖果糖液糖の総体積に所定の割合を乗じて得られた体積と見かけ上同じ体積のブドウ糖果糖液糖、所定の食品に用いられたブドウ糖果糖液糖の総体積に所定の割合を乗じて得られた体積と見かけ上同じ体積の擬似物、所定の食品に用いられた加工油脂の総重量に所定の割合を乗じて得られた重量と同じ重量の加工油脂、所定の食品に用いられた加工油脂の総重量に所定の割合を乗じて得られた重量と同じ重量の擬似物、所定の食品に用いられた加工油脂の総体積に所定の割合を乗じて得られた体積と同じ体積の加工油脂、所定の食品に用いられた加工油脂の総体積に所定の割合を乗じて得られた体積と同じ体積の擬似物、所定の食品に用いられた加工油脂の総体積に所定の割合を乗じて得られた体積と見かけ上同じ体積の加工油脂、所定の食品に用いられた加工油脂の総体積に所定の割合を乗じて得られた体積と見かけ上同じ体積の擬似物、所定の食品に用いられたトランス脂肪酸の総重量に所定の割合を乗じて得られた重量と同じ重量のトランス脂肪酸、所定の食品に用いられたトランス脂肪酸の総重量に所定の割合を乗じて得られた重量と同じ重量の擬似物、所定の食品に用いられたトランス脂肪酸の総体積に所定の割合を乗じて得られた体積と同じ体積のトランス脂肪酸、所定の食品に用いられたトランス脂肪酸の総体積に所定の割合を乗じて得られた体積と同じ体積の擬似物、所定の食品に用いられたトランス脂肪酸の総体積に所定の割合を乗じて得られた体積と見かけ上同じ体積のトランス脂肪酸、所定の食品に用いられたトランス脂肪酸の総体積に所定の割合を乗じて得られた体積と見かけ上同じ体積の擬似物、所定の食品に用いられた加工デンプンの総重量に所定の割合を乗じて得られた重量と同じ重量の加工デンプン、所定の食品に用いられた加工デンプンの総重量に所定の割合を乗じて得られた重量と同じ重量の擬似物、所定の食品に用いられた加工デンプンの総体積に所定の割合を乗じて得られた体積と同じ体積の加工デンプン、所定の食品に用いられた加工デンプンの総体積に所定の割合を乗じて得られた体積と同じ体積の擬似物、所定の食品に用いられた加工デンプンの総体積に所定の割合を乗じて得られた体積と見かけ上同じ体積の加工デンプン、所定の食品に用いられた加工デンプンの総体積に所定の割合を乗じて得られた体積と見かけ上同じ体積の擬似物、所定の食品に用いられた食品添加物のうち一括名の表示が認められた食品添加物の総重量に所定の割合を乗じて得られた重量と同じ重量の食品添加物、所定の食品に用いられた食品添加物のうち一括名の表示が認められた食品添加物の総重量に所定の割合を乗じて得られた重量と同じ重量の擬似物、所定の食品に用いられた食品添加物のうち一括名の表示が認められた食品添加物の総体積に所定の割合を乗じて得られた体積と同じ体積の食品添加物、所定の食品に用いられた食品添加物のうち一括名の表示が認められた食品添加物の総体積に所定の割合を乗じて得られた体積と同じ体積の擬似物、所定の食品に用いられた食品添加物のうち一括名の表示が認められた食品添加物の総体積に所定の割合を乗じて得られた体積と見かけ上同じ体積の食品添加物、所定の食品に用いられた食品添加物のうち一括名の表示が認められた食品添加物の総体積に所定の割合を乗じて得られた体積と見かけ上同じ体積の擬似物、所定の食品に用いられた合成ビタミンの総重量に所定の割合を乗じて得られた重量と同じ重量の合成ビタミン、所定の食品に用いられた合成ビタミンの総重量に所定の割合を乗じて得られた重量と同じ重量の擬似物、所定の食品に用いられた合成ビタミンの総体積に所定の割合を乗じて得られた体積と同じ体積の合成ビタミン、所定の食品に用いられた合成ビタミンの総体積に所定の割合を乗じて得られた体積と同じ体積の擬似物、所定の食品に用いられた合成ビタミンの総体積に所定の割合を乗じて得られた体積と見かけ上同じ体積の合成ビタミン、所定の食品に用いられた合成ビタミンの総体積に所定の割合を乗じて得られた体積と見かけ上同じ体積の擬似物、所定の食品に用いられた食品添加物のうちキャリーオーバーとみなされた食品添加物の総重量に所定の割合を乗じて得られた重量と同じ重量の食品添加物、所定の食品に用いられた食品添加物のうちキャリーオーバーとみなされた食品添加物の総重量に所定の割合を乗じて得られた重量と同じ重量の擬似物、所定の食品に用いられた食品添加物のうちキャリーオーバーとみなされた食品添加物の総体積に所定の割合を乗じて得られた体積と同じ体積の食品添加物、所定の食品に用いられた食品添加物のうちキャリーオーバーとみなされた食品添加物の総体積に所定の割合を乗じて得られた体積と同じ体積の擬似物、所定の食品に用いられた食品添加物のうちキャリーオーバーとみなされた食品添加物の総体積に所定の割合を乗じて得られた体積と見かけ上同じ体積の食品添加物、所定の食品に用いられた食品添加物のうちキャリーオーバーとみなされた食品添加物の総体積に所定の割合を乗じて得られた体積と見かけ上同じ体積の擬似物、所定の食品に用いられた食品添加物のうちキャリーオーバーとみなされた食品添加物を除く食品添加物の総重量に所定の割合を乗じて得られた重量と同じ重量の食品添加物、所定の食品に用いられた食品添加物のうちキャリーオーバーとみなされた食品添加物を除く食品添加物の総重量に所定の割合を乗じて得られた重量と同じ重量の擬似物、所定の食品に用いられた食品添加物のうちキャリーオーバーとみなされた食品添加物を除く食品添加物の総体積に所定の割合を乗じて得られた体積と同じ体積の食品添加物、所定の食品に用いられた食品添加物のうちキャリーオーバーとみなされた食品添加物を除く食品添加物の総体積に所定の割合を乗じて得られた体積と同じ体積の擬似物、所定の食品に用いられた食品添加物のうちキャリーオーバーとみなされた食品添加物を除く食品添加物の総体積に所定の割合を乗じて得られた体積と見かけ上同じ体積の食品添加物、所定の食品に用いられた食品添加物のうちキャリーオーバーとみなされた食品添加物を除く食品添加物の総体積に所定の割合を乗じて得られた体積と見かけ上同じ体積の擬似物、所定の食品に用いられた脱脂加工大豆の総重量に所定の割合を乗じて得られた重量と同じ重量の脱脂加工大豆、所定の食品に用いられた脱脂加工大豆の総重量に所定の割合を乗じて得られた重量と同じ重量の擬似物、所定の食品に用いられた脱脂加工大豆の総体積に所定の割合を乗じて得られた体積と同じ体積の脱脂加工大豆、所定の食品に用いられた脱脂加工大豆の総体積に所定の割合を乗じて得られた体積と同じ体積の擬似物、所定の食品に用いられた脱脂加工大豆の総体積に所定の割合を乗じて得られた体積と見かけ上同じ体積の脱脂加工大豆、所定の食品に用いられた脱脂加工大豆の総体積に所定の割合を乗じて得られた体積と見かけ上同じ体積の擬似物、所定の食品に用いられたリン酸塩の総重量に所定の割合を乗じて得られた重量と同じ重量のリン酸塩、所定の食品に用いられたリン酸塩の総重量に所定の割合を乗じて得られた重量と同じ重量の擬似物、所定の食品に用いられたリン酸塩の総体積に所定の割合を乗じて得られた体積と同じ体積のリン酸塩、所定の食品に用いられたリン酸塩の総体積に所定の割合を乗じて得られた体積と同じ体積の擬似物、所定の食品に用いられたリン酸塩の総体積に所定の割合を乗じて得られた体積と見かけ上同じ体積のリン酸塩、所定の食品に用いられたリン酸塩の総体積に所定の割合を乗じて得られた体積と見かけ上同じ体積の擬似物、所定の食品に用いられたソルビン酸の総重量に所定の割合を乗じて得られた重量と同じ重量のソルビン酸、所定の食品に用いられたソルビン酸の総重量に所定の割合を乗じて得られた重量と同じ重量の擬似物、所定の食品に用いられたソルビン酸の総体積に所定の割合を乗じて得られた体積と同じ体積のソルビン酸、所定の食品に用いられたソルビン酸の総体積に所定の割合を乗じて得られた体積と同じ体積の擬似物、所定の食品に用いられたソルビン酸の総体積に所定の割合を乗じて得られた体積と見かけ上同じ体積のソルビン酸、所定の食品に用いられたソルビン酸の総体積に所定の割合を乗じて得られた体積と見かけ上同じ体積の擬似物、所定の食品に用いられたアスパルテームの総重量に所定の割合を乗じて得られた重量と
同じ重量のアスパルテーム、所定の食品に用いられたアスパルテームの総重量に所定の割合を乗じて得られた重量と同じ重量の擬似物、所定の食品に用いられたアスパルテームの総体積に所定の割合を乗じて得られた体積と同じ体積のアスパルテーム、所定の食品に用いられたアスパルテームの総体積に所定の割合を乗じて得られた体積と同じ体積の擬似物、所定の食品に用いられたアスパルテームの総体積に所定の割合を乗じて得られた体積と見かけ上同じ体積のアスパルテーム、所定の食品に用いられたアスパルテームの総体積に所定の割合を乗じて得られた体積と見かけ上同じ体積の擬似物の少なくとも１つと、前記所定の割合を表示した表示物。
【０１７５】
［二次産品の付属物２８］
所定の食品の原料の次世代の種子、若しくは、所定の食品の原料と略同一条件で所定の食品の原料とは別体で成長した代替原料の次世代の種子。
【０１７６】
［二次産品の付属物２９］
所定の食品の原料の一部、若しくは、所定の食品の原料と略同一条件で所定の食品の原料とは別体で成長した代替原料から得られた種芋。
【０１７７】
［二次産品の付属物３０］
所定の食品の原料と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１７８】
［二次産品の付属物３１］
所定の食品の原料と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１７９】
［二次産品の付属物３２］
所定の食品の原料と略同一条件で所定の食品の原料とは別体で成長した代替原料と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１８０】
［二次産品の付属物３３］
所定の食品の原料と略同一条件で所定の食品の原料とは別体で成長した代替原料と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１８１】
［二次産品の付属物３４］
所定の食品の原料と略同一条件で所定の食品の原料とは別体で成長した代替原料の粉末と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１８２】
［二次産品の付属物３５］
所定の食品の原料と略同一条件で所定の食品の原料とは別体で成長した代替原料の粉末と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１８３】
［二次産品の付属物３６］
所定の食品の原料と略同一条件で所定の食品の原料とは別体で成長した代替原料の加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１８４】
［二次産品の付属物３７］
所定の食品の原料と略同一条件で所定の食品の原料とは別体で成長した代替原料の加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１８５】
［二次産品の付属物３８］
所定の食品の原料と略同一条件で所定の食品の原料とは別体で成長した代替原料の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１８６】
［二次産品の付属物３９］
所定の食品の原料と略同一条件で所定の食品の原料とは別体で成長した代替原料の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１８７】
［二次産品の付属物４０］
所定の食品の原料と略同一条件で所定の食品の原料とは別体で成長した代替原料と一体に成長した代替一体成長物と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１８８】
［二次産品の付属物４１］
所定の食品の原料と略同一条件で所定の食品の原料とは別体で成長した代替原料と一体に成長した代替一体成長物と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１８９】
［二次産品の付属物４２］
所定の食品の原料と略同一条件で所定の食品の原料とは別体で成長した代替原料と一体に成長した代替一体成長物の粉末と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１９０】
［二次産品の付属物４３］
所定の食品の原料と略同一条件で所定の食品の原料とは別体で成長した代替原料と一体に成長した代替一体成長物の粉末と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１９１】
［二次産品の付属物４４］
所定の食品の原料と略同一条件で所定の食品の原料とは別体で成長した代替原料と一体に成長した代替一体成長物の加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１９２】
［二次産品の付属物４５］
所定の食品の原料と略同一条件で所定の食品の原料とは別体で成長した代替原料と一体に成長した代替一体成長物の加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１９３】
［二次産品の付属物４６］
所定の食品の原料と略同一条件で所定の食品の原料とは別体で成長した代替原料と一体に成長した代替一体成長物の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１９４】
［二次産品の付属物４７］
所定の食品の原料と略同一条件で所定の食品の原料とは別体で成長した代替原料と一体に成長した代替一体成長物の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１９５】
［二次産品の付属物４８］
所定の食品の原料と一体に成長した一体成長物の所定の食品の原料とは異なる部分、若しくは、所定の食品の原料と略同一条件で所定の食品の原料とは別体で成長した代替原料と一体に成長した代替一体成長物の所定の食品の原料に対応する部分とは異なる部分と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１９６】
［二次産品の付属物４９］
所定の食品の原料と一体に成長した一体成長物の所定の食品の原料とは異なる部分、若しくは、所定の食品の原料と略同一条件で所定の食品の原料とは別体で成長した代替原料と一体に成長した代替一体成長物の所定の食品の原料に対応する部分とは異なる部分と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１９７】
［二次産品の付属物５０］
所定の食品の原料と一体に成長した一体成長物の所定の食品の原料とは異なる部分の粉末、若しくは、所定の食品の原料と略同一条件で所定の食品の原料とは別体で成長した代替原料と一体に成長した代替一体成長物の所定の食品の原料に対応する部分とは異なる部分の粉末と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１９８】
［二次産品の付属物５１］
所定の食品の原料と一体に成長した一体成長物の所定の食品の原料とは異なる部分の粉末、若しくは、所定の食品の原料と略同一条件で所定の食品の原料とは別体で成長した代替原料と一体に成長した代替一体成長物の所定の食品の原料に対応する部分とは異なる部分の粉末と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１９９】
［二次産品の付属物５２］
所定の食品の原料と一体に成長した一体成長物の所定の食品の原料とは異なる部分の加工品、若しくは、所定の食品の原料と略同一条件で所定の食品の原料とは別体で成長した代替原料と一体に成長した代替一体成長物の所定の食品の原料に対応する部分とは異なる部分の加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０２００】
［二次産品の付属物５３］
所定の食品の原料と一体に成長した一体成長物の所定の食品の原料とは異なる部分の加工品、若しくは、所定の食品の原料と略同一条件で所定の食品の原料とは別体で成長した代替原料と一体に成長した代替一体成長物の所定の食品の原料に対応する部分とは異なる部分の加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０２０１】
［二次産品の付属物５４］
所定の食品の原料と一体に成長した一体成長物の所定の食品の原料とは異なる部分の粉末加工品、若しくは、所定の食品の原料と略同一条件で所定の食品の原料とは別体で成長した代替原料と一体に成長した代替一体成長物の所定の食品の原料に対応する部分とは異なる部分の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０２０２】
［二次産品の付属物５５］
所定の食品の原料と一体に成長した一体成長物の所定の食品の原料とは異なる部分の粉末加工品、若しくは、所定の食品の原料と略同一条件で所定の食品の原料とは別体で成長した代替原料と一体に成長した代替一体成長物の所定の食品の原料に対応する部分とは異なる部分の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０２０３】
［二次産品の付属物５６］
所定の食品に用いられた食品添加物の総重量と同じ重量の食品添加物、所定の食品に用いられた食品添加物の総重量と同じ重量の擬似物、所定の食品に用いられた食品添加物の総体積と同じ体積の食品添加物、所定の食品に用いられた食品添加物の総体積と同じ体積の擬似物、所定の食品に用いられた食品添加物の総体積と見かけ上同じ体積の食品添加物、所定の食品に用いられた食品添加物の総体積と見かけ上同じ体積の擬似物、所定の食品に用いられた砂糖の総重量と同じ重量の砂糖、所定の食品に用いられた砂糖の総重量と同じ重量の擬似物、所定の食品に用いられた砂糖の総体積と同じ体積の砂糖、所定の食品に用いられた砂糖の総体積と同じ体積の擬似物、所定の食品に用いられた砂糖の総体積と見かけ上同じ体積の砂糖、所定の食品に用いられた砂糖の総体積と見かけ上同じ体積の擬似物、所定の食品に用いられた塩の総重量と同じ重量の塩、所定の食品に用いられた塩の総重量と同じ重量の擬似物、所定の食品に用いられた塩の総体積と同じ体積の塩、所定の食品に用いられた塩の総体積と同じ体積の擬似物、所定の食品に用いられた塩の総体積と見かけ上同じ体積の塩、所定の食品に用いられた塩の総体積と見かけ上同じ体積の擬似物、所定の食品に用いられたタンパク加水分解物の総重量と同じ重量のタンパク加水分解物、所定の食品に用いられたタンパク加水分解物の総重量と同じ重量の擬似物、所定の食品に用いられたタンパク加水分解物の総体積と同じ体積のタンパク加水分解物、所定の食品に用いられたタンパク加水分解物の総体積と同じ体積の擬似物、所定の食品に用いられたタンパク加水分解物の総体積と見かけ上同じ体積のタンパク加水分解物、所定の食品に用いられたタンパク加水分解物の総体積と見かけ上同じ体積の擬似物、所定の食品に用いられた調味料の総重量と同じ重量の調味料、所定の食品に用いられた調味料の総重量と同じ重量の擬似物、所定の食品に用いられた調味料の総体積と同じ体積の調味料、所定の食品に用いられた調味料の総体積と同じ体積の擬似物、所定の食品に用いられた調味料の総体積と見かけ上同じ体積の調味料、所定の食品に用いられた調味料の総体積と見かけ上同じ体積の擬似物、所定の食品に用いられたブドウ糖果糖液糖の総重量と同じ重量のブドウ糖果糖液糖、所定の食品に用いられたブドウ糖果糖液糖の総重量と同じ重量の擬似物、所定の食品に用いられたブドウ糖果糖液糖の総体積と同じ体積のブドウ糖果糖液糖、所定の食品に用いられたブドウ糖果糖液糖の総体積と同じ体積の擬似物、所定の食品に用いられたブドウ糖果糖液糖の総体積と見かけ上同じ体積のブドウ糖果糖液糖、所定の食品に用いられたブドウ糖果糖液糖の総体積と見かけ上同じ体積の擬似物、所定の食品に用いられた加工油脂の総重量と同じ重量の加工油脂、所定の食品に用いられた加工油脂の総重量と同じ重量の擬似物、所定の食品に用いられた加工油脂の総体積と同じ体積の加工油脂、所定の食品に用いられた加工油脂の総体積と同じ体積の擬似物、所定の食品に用いられた加工油脂の総体積と見かけ上同じ体積の加工油脂、所定の食品に用いられた加工油脂の総体積と見かけ上同じ体積の擬似物、所定の食品に用いられたトランス脂肪酸の総重量と同じ重量のトランス脂肪酸、所定の食品に用いられたトランス脂肪酸の総重量と同じ重量の擬似物、所定の食品に用いられたトランス脂肪酸の総体積と同じ体積のトランス脂肪酸、所定の食品に用いられたトランス脂肪酸の総体積と同じ体積の擬似物、所定の食品に用いられたトランス脂肪酸の総体積と見かけ上同じ体積のトランス脂肪酸、所定の食品に用いられたトランス脂肪酸の総体積と見かけ上同じ体積の擬似物、所定の食品に用いられた加工デンプンの総重量と同じ重量の加工デンプン、所定の食品に用いられた加工デンプンの総重量と同じ重量の擬似物、所定の食品に用いられた加工デンプンの総体積と同じ体積の加工デンプン、所定の食品に用いられた加工デンプンの総体積と同じ体積の擬似物、所定の食品に用いられた加工デンプンの総体積と見かけ上同じ体積の加工デンプン、所定の食品に用いられた加工デンプンの総体積と見かけ上同じ体積の擬似物、所定の食品に用いられた食品添加物のうち一括名の表示が認められた食品添加物の総重量と同じ重量の食品添加物、所定の食品に用いられた食品添加物のうち一括名の表示が認められた食品添加物の総重量と同じ重量の擬似物、所定の食品に用いられた食品添加物のうち一括名の表示が認められた食品添加物の総体積と同じ体積の食品添加物、所定の食品に用いられた食品添加物のうち一括名の表示が認められた食品添加物の総体積と同じ体積の擬似物、所定の食品に用いられた食品添加物のうち一括名の表示が認められた食品添加物の総体積と見かけ上同じ体積の食品添加物、所定の食品に用いられた食品添加物のうち一括名の表示が認められた食品添加物の総体積と見かけ上同じ体積の擬似物、所定の食品に用いられた合成ビタミンの総重量と同じ重量の合成ビタミン、所定の食品に用いられた合成ビタミンの総重量と同じ重量の擬似物、所定の食品に用いられた合成ビタミンの総体積と同じ体積の合成ビタミン、所定の食品に用いられた合成ビタミンの総体積と同じ体積の擬似物、所定の食品に用いられた合成ビタミンの総体積と見かけ上同じ体積の合成ビタミン、所定の食品に用いられた合成ビタミンの総体積と見かけ上同じ体積の擬似物、所定の食品に用いられた食品添加物のうちキャリーオーバーとみなされた食品添加物の総重量と同じ重量の食品添加物、所定の食品に用いられた食品添加物のうちキャリーオーバーとみなされた食品添加物の総重量と同じ重量の擬似物、所定の食品に用いられた食品添加物のうちキャリーオーバーとみなされた食品添加物の総体積と同じ体積の食品添加物、所定の食品に用いられた食品添加物のうちキャリーオーバーとみなされた食品添加物の総体積と同じ体積の擬似物、所定の食品に用いられた食品添加物のうちキャリーオーバーとみなされた食品添加物の総体積と見かけ上同じ体積の食品添加物、所定の食品に用いられた食品添加物のうちキャリーオーバーとみなされた食品添加物の総体積と見かけ上同じ体積の擬似物、所定の食品に用いられた食品添加物のうちキャリーオーバーとみなされた食品添加物を除く食品添加物の総重量と同じ重量の食品添加物、所定の食品に用いられた食品添加物のうちキャリーオーバーとみなされた食品添加物を除く食品添加物の総重量と同じ重量の擬似物、所定の食品に用いられた食品添加物のうちキャリーオーバーとみなされた食品添加物を除く食品添加物の総体積と同じ体積の食品添加物、所定の食品に用いられた食品添加物のうちキャリーオーバーとみなされた食品添加物を除く食品添加物の総体積と同じ体積の擬似物、所定の食品に用いられた食品添加物のうちキャリーオーバーとみなされた食品添加物を除く食品添加物の総体積と見かけ上同じ体積の食品添加物、所定の食品に用いられた食品添加物のうちキャリーオーバーとみなされた食品添加物を除く食品添加物の総体積と見かけ上同じ体積の擬似物、所定の食品に用いられた脱脂加工大豆の総重量と同じ重量の脱脂加工大豆、所定の食品に用いられた脱脂加工大豆の総重量と同じ重量の擬似物、所定の食品に用いられた脱脂加工大豆の総体積と同じ体積の脱脂加工大豆、所定の食品に用いられた脱脂加工大豆の総体積と同じ体積の擬似物、所定の食品に用いられた脱脂加工大豆の総体積と見かけ上同じ体積の脱脂加工大豆、所定の食品に用いられた脱脂加工大豆の総体積と見かけ上同じ体積の擬似物、所定の食品に用いられたリン酸塩の総重量と同じ重量のリン酸塩、所定の食品に用いられたリン酸塩の総重量と同じ重量の擬似物、所定の食品に用いられたリン酸塩の総体積と同じ体積のリン酸塩、所定の食品に用いられたリン酸塩の総体積と同じ体積の擬似物、所定の食品に用いられたリン酸塩の総体積と見かけ上同じ体積のリン酸塩、所定の食品に用いられたリン酸塩の総体積と見かけ上同じ体積の擬似物、所定の食品に用いられたソルビン酸の総重量と同じ重量のソルビン酸、所定の食品に用いられたソルビン酸の総重量と同じ重量の擬似物、所定の食品に用いられたソルビン酸の総体積と同じ体積のソルビン酸、所定の食品に用いられたソルビン酸の総体積と同じ体積の擬似物、所定の食品に用いられたソルビン酸の総体積と見かけ上同じ体積のソルビン酸、所定の食品に用いられたソルビン酸の総体積と見かけ上同じ体積の擬似物、所定の食品に用いられたアスパルテームの総重量と同じ重量のアスパルテーム、所定の食品に用いられたアスパルテームの総重量と同じ重量の擬似物、所定の食品に用いられたアスパルテームの総体積と同じ体積のアスパルテーム、所定の食品に用いられたアスパルテームの総体積と同じ体積の擬似物、所定の食品に用いられたアスパルテームの総体積と見かけ上同じ体積のアスパルテーム、所定の食品に用いられたアスパルテームの総体積と見かけ上同じ体積の擬似物の少なくとも１つと、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０２０４】
［二次産品の付属物５７］
所定の食品に用いられた食品添加物の総重量と同じ重量の食品添加物、所定の食品に用いられた食品添加物の総重量と同じ重量の擬似物、所定の食品に用いられた食品添加物の総体積と同じ体積の食品添加物、所定の食品に用いられた食品添加物の総体積と同じ体積の擬似物、所定の食品に用いられた食品添加物の総体積と見かけ上同じ体積の食品添加物、所定の食品に用いられた食品添加物の総体積と見かけ上同じ体積の擬似物、所定の食品に用いられた砂糖の総重量と同じ重量の砂糖、所定の食品に用いられた砂糖の総重量と同じ重量の擬似物、所定の食品に用いられた砂糖の総体積と同じ体積の砂糖、所定の食品に用いられた砂糖の総体積と同じ体積の擬似物、所定の食品に用いられた砂糖の総体積と見かけ上同じ体積の砂糖、所定の食品に用いられた砂糖の総体積と見かけ上同じ体積の擬似物、所定の食品に用いられた塩の総重量と同じ重量の塩、所定の食品に用いられた塩の総重量と同じ重量の擬似物、所定の食品に用いられた塩の総体積と同じ体積の塩、所定の食品に用いられた塩の総体積と同じ体積の擬似物、所定の食品に用いられた塩の総体積と見かけ上同じ体積の塩、所定の食品に用いられた塩の総体積と見かけ上同じ体積の擬似物、所定の食品に用いられたタンパク加水分解物の総重量と同じ重量のタンパク加水分解物、所定の食品に用いられたタンパク加水分解物の総重量と同じ重量の擬似物、所定の食品に用いられたタンパク加水分解物の総体積と同じ体積のタンパク加水分解物、所定の食品に用いられたタンパク加水分解物の総体積と同じ体積の擬似物、所定の食品に用いられたタンパク加水分解物の総体積と見かけ上同じ体積のタンパク加水分解物、所定の食品に用いられたタンパク加水分解物の総体積と見かけ上同じ体積の擬似物、所定の食品に用いられた調味料の総重量と同じ重量の調味料、所定の食品に用いられた調味料の総重量と同じ重量の擬似物、所定の食品に用いられた調味料の総体積と同じ体積の調味料、所定の食品に用いられた調味料の総体積と同じ体積の擬似物、所定の食品に用いられた調味料の総体積と見かけ上同じ体積の調味料、所定の食品に用いられた調味料の総体積と見かけ上同じ体積の擬似物、所定の食品に用いられたブドウ糖果糖液糖の総重量と同じ重量のブドウ糖果糖液糖、所定の食品に用いられたブドウ糖果糖液糖の総重量と同じ重量の擬似物、所定の食品に用いられたブドウ糖果糖液糖の総体積と同じ体積のブドウ糖果糖液糖、所定の食品に用いられたブドウ糖果糖液糖の総体積と同じ体積の擬似物、所定の食品に用いられたブドウ糖果糖液糖の総体積と見かけ上同じ体積のブドウ糖果糖液糖、所定の食品に用いられたブドウ糖果糖液糖の総体積と見かけ上同じ体積の擬似物、所定の食品に用いられた加工油脂の総重量と同じ重量の加工油脂、所定の食品に用いられた加工油脂の総重量と同じ重量の擬似物、所定の食品に用いられた加工油脂の総体積と同じ体積の加工油脂、所定の食品に用いられた加工油脂の総体積と同じ体積の擬似物、所定の食品に用いられた加工油脂の総体積と見かけ上同じ体積の加工油脂、所定の食品に用いられた加工油脂の総体積と見かけ上同じ体積の擬似物、所定の食品に用いられたトランス脂肪酸の総重量と同じ重量のトランス脂肪酸、所定の食品に用いられたトランス脂肪酸の総重量と同じ重量の擬似物、所定の食品に用いられたトランス脂肪酸の総体積と同じ体積のトランス脂肪酸、所定の食品に用いられたトランス脂肪酸の総体積と同じ体積の擬似物、所定の食品に用いられたトランス脂肪酸の総体積と見かけ上同じ体積のトランス脂肪酸、所定の食品に用いられたトランス脂肪酸の総体積と見かけ上同じ体積の擬似物、所定の食品に用いられた加工デンプンの総重量と同じ重量の加工デンプン、所定の食品に用いられた加工デンプンの総重量と同じ重量の擬似物、所定の食品に用いられた加工デンプンの総体積と同じ体積の加工デンプン、所定の食品に用いられた加工デンプンの総体積と同じ体積の擬似物、所定の食品に用いられた加工デンプンの総体積と見かけ上同じ体積の加工デンプン、所定の食品に用いられた加工デンプンの総体積と見かけ上同じ体積の擬似物、所定の食品に用いられた食品添加物のうち一括名の表示が認められた食品添加物の総重量と同じ重量の食品添加物、所定の食品に用いられた食品添加物のうち一括名の表示が認められた食品添加物の総重量と同じ重量の擬似物、所定の食品に用いられた食品添加物のうち一括名の表示が認められた食品添加物の総体積と同じ体積の食品添加物、所定の食品に用いられた食品添加物のうち一括名の表示が認められた食品添加物の総体積と同じ体積の擬似物、所定の食品に用いられた食品添加物のうち一括名の表示が認められた食品添加物の総体積と見かけ上同じ体積の食品添加物、所定の食品に用いられた食品添加物のうち一括名の表示が認められた食品添加物の総体積と見かけ上同じ体積の擬似物、所定の食品に用いられた合成ビタミンの総重量と同じ重量の合成ビタミン、所定の食品に用いられた合成ビタミンの総重量と同じ重量の擬似物、所定の食品に用いられた合成ビタミンの総体積と同じ体積の合成ビタミン、所定の食品に用いられた合成ビタミンの総体積と同じ体積の擬似物、所定の食品に用いられた合成ビタミンの総体積と見かけ上同じ体積の合成ビタミン、所定の食品に用いられた合成ビタミンの総体積と見かけ上同じ体積の擬似物、所定の食品に用いられた食品添加物のうちキャリーオーバーとみなされた食品添加物の総重量と同じ重量の食品添加物、所定の食品に用いられた食品添加物のうちキャリーオーバーとみなされた食品添加物の総重量と同じ重量の擬似物、所定の食品に用いられた食品添加物のうちキャリーオーバーとみなされた食品添加物の総体積と同じ体積の食品添加物、所定の食品に用いられた食品添加物のうちキャリーオーバーとみなされた食品添加物の総体積と同じ体積の擬似物、所定の食品に用いられた食品添加物のうちキャリーオーバーとみなされた食品添加物の総体積と見かけ上同じ体積の食品添加物、所定の食品に用いられた食品添加物のうちキャリーオーバーとみなされた食品添加物の総体積と見かけ上同じ体積の擬似物、所定の食品に用いられた食品添加物のうちキャリーオーバーとみなされた食品添加物を除く食品添加物の総重量と同じ重量の食品添加物、所定の食品に用いられた食品添加物のうちキャリーオーバーとみなされた食品添加物を除く食品添加物の総重量と同じ重量の擬似物、所定の食品に用いられた食品添加物のうちキャリーオーバーとみなされた食品添加物を除く食品添加物の総体積と同じ体積の食品添加物、所定の食品に用いられた食品添加物のうちキャリーオーバーとみなされた食品添加物を除く食品添加物の総体積と同じ体積の擬似物、所定の食品に用いられた食品添加物のうちキャリーオーバーとみなされた食品添加物を除く食品添加物の総体積と見かけ上同じ体積の食品添加物、所定の食品に用いられた食品添加物のうちキャリーオーバーとみなされた食品添加物を除く食品添加物の総体積と見かけ上同じ体積の擬似物、所定の食品に用いられた脱脂加工大豆の総重量と同じ重量の脱脂加工大豆、所定の食品に用いられた脱脂加工大豆の総重量と同じ重量の擬似物、所定の食品に用いられた脱脂加工大豆の総体積と同じ体積の脱脂加工大豆、所定の食品に用いられた脱脂加工大豆の総体積と同じ体積の擬似物、所定の食品に用いられた脱脂加工大豆の総体積と見かけ上同じ体積の脱脂加工大豆、所定の食品に用いられた脱脂加工大豆の総体積と見かけ上同じ体積の擬似物、所定の食品に用いられたリン酸塩の総重量と同じ重量のリン酸塩、所定の食品に用いられたリン酸塩の総重量と同じ重量の擬似物、所定の食品に用いられたリン酸塩の総体積と同じ体積のリン酸塩、所定の食品に用いられたリン酸塩の総体積と同じ体積の擬似物、所定の食品に用いられたリン酸塩の総体積と見かけ上同じ体積のリン酸塩、所定の食品に用いられたリン酸塩の総体積と見かけ上同じ体積の擬似物、所定の食品に用いられたソルビン酸の総重量と同じ重量のソルビン酸、所定の食品に用いられたソルビン酸の総重量と同じ重量の擬似物、所定の食品に用いられたソルビン酸の総体積と同じ体積のソルビン酸、所定の食品に用いられたソルビン酸の総体積と同じ体積の擬似物、所定の食品に用いられたソルビン酸の総体積と見かけ上同じ体積のソルビン酸、所定の食品に用いられたソルビン酸の総体積と見かけ上同じ体積の擬似物、所定の食品に用いられたアスパルテームの総重量と同じ重量のアスパルテーム、所定の食品に用いられたアスパルテームの総重量と同じ重量の擬似物、所定の食品に用いられたアスパルテームの総体積と同じ体積のアスパルテーム、所定の食品に用いられたアスパルテームの総体積と同じ体積の擬似物、所定の食品に用いられたアスパルテームの総体積と見かけ上同じ体積のアスパルテーム、所定の食品に用いられたアスパルテームの総体積と見かけ上同じ体積の擬似物の少なくとも１つと、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０２０５】
［二次産品の付属物５８］
所定の食品に用いられた食品添加物の総重量に所定の割合を乗じて得られた重量と同じ重量の食品添加物、所定の食品に用いられた食品添加物の総重量に所定の割合を乗じて得られた重量と同じ重量の擬似物、所定の食品に用いられた食品添加物の総体積に所定の割合を乗じて得られた体積と同じ体積の食品添加物、所定の食品に用いられた食品添加物の総体積に所定の割合を乗じて得られた体積と同じ体積の擬似物、所定の食品に用いられた食品添加物の総体積に所定の割合を乗じて得られた体積と見かけ上同じ体積の食品添加物、所定の食品に用いられた食品添加物の総体積に所定の割合を乗じて得られた体積と見かけ上同じ体積の擬似物、所定の食品に用いられた砂糖の総重量に所定の割合を乗じて得られた重量と同じ重量の砂糖、所定の食品に用いられた砂糖の総重量に所定の割合を乗じて得られた重量と同じ重量の擬似物、所定の食品に用いられた砂糖の総体積に所定の割合を乗じて得られた体積と同じ体積の砂糖、所定の食品に用いられた砂糖の総体積に所定の割合を乗じて得られた体積と同じ体積の擬似物、所定の食品に用いられた砂糖の総体積に所定の割合を乗じて得られた体積と見かけ上同じ体積の砂糖、所定の食品に用いられた砂糖の総体積に所定の割合を乗じて得られた体積と見かけ上同じ体積の擬似物、所定の食品に用いられた塩の総重量に所定の割合を乗じて得られた重量と同じ重量の塩、所定の食品に用いられた塩の総重量に所定の割合を乗じて得られた重量と同じ重量の擬似物、所定の食品に用いられた塩の総体積に所定の割合を乗じて得られた体積と同じ体積の塩、所定の食品に用いられた塩の総体積に所定の割合を乗じて得られた体積と同じ体積の擬似物、所定の食品に用いられた塩の総体積に所定の割合を乗じて得られた体積と見かけ上同じ体積の塩、所定の食品に用いられた塩の総体積に所定の割合を乗じて得られた体積と見かけ上同じ体積の擬似物、所定の食品に用いられたタンパク加水分解物の総重量に所定の割合を乗じて得られた重量と同じ重量のタンパク加水分解物、所定の食品に用いられたタンパク加水分解物の総重量に所定の割合を乗じて得られた重量と同じ重量の擬似物、所定の食品に用いられたタンパク加水分解物の総体積に所定の割合を乗じて得られた体積と同じ体積のタンパク加水分解物、所定の食品に用いられたタンパク加水分解物の総体積に所定の割合を乗じて得られた体積と同じ体積の擬似物、所定の食品に用いられたタンパク加水分解物の総体積に所定の割合を乗じて得られた体積と見かけ上同じ体積のタンパク加水分解物、所定の食品に用いられたタンパク加水分解物の総体積に所定の割合を乗じて得られた体積と見かけ上同じ体積の擬似物、所定の食品に用いられた調味料の総重量に所定の割合を乗じて得られた重量と同じ重量の調味料、所定の食品に用いられた調味料の総重量に所定の割合を乗じて得られた重量と同じ重量の擬似物、所定の食品に用いられた調味料の総体積に所定の割合を乗じて得られた体積と同じ体積の調味料、所定の食品に用いられた調味料の総体積に所定の割合を乗じて得られた体積と同じ体積の擬似物、所定の食品に用いられた調味料の総体積に所定の割合を乗じて得られた体積と見かけ上同じ体積の調味料、所定の食品に用いられた調味料の総体積に所定の割合を乗じて得られた体積と見かけ上同じ体積の擬似物、所定の食品に用いられたブドウ糖果糖液糖の総重量に所定の割合を乗じて得られた重量と同じ重量のブドウ糖果糖液糖、所定の食品に用いられたブドウ糖果糖液糖の総重量に所定の割合を乗じて得られた重量と同じ重量の擬似物、所定の食品に用いられたブドウ糖果糖液糖の総体積に所定の割合を乗じて得られた体積と同じ体積のブドウ糖果糖液糖、所定の食品に用いられたブドウ糖果糖液糖の総体積に所定の割合を乗じて得られた体積と同じ体積の擬似物、所定の食品に用いられたブドウ糖果糖液糖の総体積に所定の割合を乗じて得られた体積と見かけ上同じ体積のブドウ糖果糖液糖、所定の食品に用いられたブドウ糖果糖液糖の総体積に所定の割合を乗じて得られた体積と見かけ上同じ体積の擬似物、所定の食品に用いられた加工油脂の総重量に所定の割合を乗じて得られた重量と同じ重量の加工油脂、所定の食品に用いられた加工油脂の総重量に所定の割合を乗じて得られた重量と同じ重量の擬似物、所定の食品に用いられた加工油脂の総体積に所定の割合を乗じて得られた体積と同じ体積の加工油脂、所定の食品に用いられた加工油脂の総体積に所定の割合を乗じて得られた体積と同じ体積の擬似物、所定の食品に用いられた加工油脂の総体積に所定の割合を乗じて得られた体積と見かけ上同じ体積の加工油脂、所定の食品に用いられた加工油脂の総体積に所定の割合を乗じて得られた体積と見かけ上同じ体積の擬似物、所定の食品に用いられたトランス脂肪酸の総重量に所定の割合を乗じて得られた重量と同じ重量のトランス脂肪酸、所定の食品に用いられたトランス脂肪酸の総重量に所定の割合を乗じて得られた重量と同じ重量の擬似物、所定の食品に用いられたトランス脂肪酸の総体積に所定の割合を乗じて得られた体積と同じ体積のトランス脂肪酸、所定の食品に用いられたトランス脂肪酸の総体積に所定の割合を乗じて得られた体積と同じ体積の擬似物、所定の食品に用いられたトランス脂肪酸の総体積に所定の割合を乗じて得られた体積と見かけ上同じ体積のトランス脂肪酸、所定の食品に用いられたトランス脂肪酸の総体積に所定の割合を乗じて得られた体積と見かけ上同じ体積の擬似物、所定の食品に用いられた加工デンプンの総重量に所定の割合を乗じて得られた重量と同じ重量の加工デンプン、所定の食品に用いられた加工デンプンの総重量に所定の割合を乗じて得られた重量と同じ重量の擬似物、所定の食品に用いられた加工デンプンの総体積に所定の割合を乗じて得られた体積と同じ体積の加工デンプン、所定の食品に用いられた加工デンプンの総体積に所定の割合を乗じて得られた体積と同じ体積の擬似物、所定の食品に用いられた加工デンプンの総体積に所定の割合を乗じて得られた体積と見かけ上同じ体積の加工デンプン、所定の食品に用いられた加工デンプンの総体積に所定の割合を乗じて得られた体積と見かけ上同じ体積の擬似物、所定の食品に用いられた食品添加物のうち一括名の表示が認められた食品添加物の総重量に所定の割合を乗じて得られた重量と同じ重量の食品添加物、所定の食品に用いられた食品添加物のうち一括名の表示が認められた食品添加物の総重量に所定の割合を乗じて得られた重量と同じ重量の擬似物、所定の食品に用いられた食品添加物のうち一括名の表示が認められた食品添加物の総体積に所定の割合を乗じて得られた体積と同じ体積の食品添加物、所定の食品に用いられた食品添加物のうち一括名の表示が認められた食品添加物の総体積に所定の割合を乗じて得られた体積と同じ体積の擬似物、所定の食品に用いられた食品添加物のうち一括名の表示が認められた食品添加物の総体積に所定の割合を乗じて得られた体積と見かけ上同じ体積の食品添加物、所定の食品に用いられた食品添加物のうち一括名の表示が認められた食品添加物の総体積に所定の割合を乗じて得られた体積と見かけ上同じ体積の擬似物、所定の食品に用いられた合成ビタミンの総重量に所定の割合を乗じて得られた重量と同じ重量の合成ビタミン、所定の食品に用いられた合成ビタミンの総重量に所定の割合を乗じて得られた重量と同じ重量の擬似物、所定の食品に用いられた合成ビタミンの総体積に所定の割合を乗じて得られた体積と同じ体積の合成ビタミン、所定の食品に用いられた合成ビタミンの総体積に所定の割合を乗じて得られた体積と同じ体積の擬似物、所定の食品に用いられた合成ビタミンの総体積に所定の割合を乗じて得られた体積と見かけ上同じ体積の合成ビタミン、所定の食品に用いられた合成ビタミンの総体積に所定の割合を乗じて得られた体積と見かけ上同じ体積の擬似物、所定の食品に用いられた食品添加物のうちキャリーオーバーとみなされた食品添加物の総重量に所定の割合を乗じて得られた重量と同じ重量の食品添加物、所定の食品に用いられた食品添加物のうちキャリーオーバーとみなされた食品添加物の総重量に所定の割合を乗じて得られた重量と同じ重量の擬似物、所定の食品に用いられた食品添加物のうちキャリーオーバーとみなされた食品添加物の総体積に所定の割合を乗じて得られた体積と同じ体積の食品添加物、所定の食品に用いられた食品添加物のうちキャリーオーバーとみなされた食品添加物の総体積に所定の割合を乗じて得られた体積と同じ体積の擬似物、所定の食品に用いられた食品添加物のうちキャリーオーバーとみなされた食品添加物の総体積に所定の割合を乗じて得られた体積と見かけ上同じ体積の食品添加物、所定の食品に用いられた食品添加物のうちキャリーオーバーとみなされた食品添加物の総体積に所定の割合を乗じて得られた体積と見かけ上同じ体積の擬似物、所定の食品に用いられた食品添加物のうちキャリーオーバーとみなされた食品添加物を除く食品添加物の総重量に所定の割合を乗じて得られた重量と同じ重量の食品添加物、所定の食品に用いられた食品添加物のうちキャリーオーバーとみなされた食品添加物を除く食品添加物の総重量に所定の割合を乗じて得られた重量と同じ重量の擬似物、所定の食品に用いられた食品添加物のうちキャリーオーバーとみなされた食品添加物を除く食品添加物の総体積に所定の割合を乗じて得られた体積と同じ体積の食品添加物、所定の食品に用いられた食品添加物のうちキャリーオーバーとみなされた食品添加物を除く食品添加物の総体積に所定の割合を乗じて得られた体積と同じ体積の擬似物、所定の食品に用いられた食品添加物のうちキャリーオーバーとみなされた食品添加物を除く食品添加物の総体積に所定の割合を乗じて得られた体積と見かけ上同じ体積の食品添加物、所定の食品に用いられた食品添加物のうちキャリーオーバーとみなされた食品添加物を除く食品添加物の総体積に所定の割合を乗じて得られた体積と見かけ上同じ体積の擬似物、所定の食品に用いられた脱脂加工大豆の総重量に所定の割合を乗じて得られた重量と同じ重量の脱脂加工大豆、所定の食品に用いられた脱脂加工大豆の総重量に所定の割合を乗じて得られた重量と同じ重量の擬似物、所定の食品に用いられた脱脂加工大豆の総体積に所定の割合を乗じて得られた体積と同じ体積の脱脂加工大豆、所定の食品に用いられた脱脂加工大豆の総体積に所定の割合を乗じて得られた体積と同じ体積の擬似物、所定の食品に用いられた脱脂加工大豆の総体積に所定の割合を乗じて得られた体積と見かけ上同じ体積の脱脂加工大豆、所定の食品に用いられた脱脂加工大豆の総体積に所定の割合を乗じて得られた体積と見かけ上同じ体積の擬似物、所定の食品に用いられたリン酸塩の総重量に所定の割合を乗じて得られた重量と同じ重量のリン酸塩、所定の食品に用いられたリン酸塩の総重量に所定の割合を乗じて得られた重量と同じ重量の擬似物、所定の食品に用いられたリン酸塩の総体積に所定の割合を乗じて得られた体積と同じ体積のリン酸塩、所定の食品に用いられたリン酸塩の総体積に所定の割合を乗じて得られた体積と同じ体積の擬似物、所定の食品に用いられたリン酸塩の総体積に所定の割合を乗じて得られた体積と見かけ上同じ体積のリン酸塩、所定の食品に用いられたリン酸塩の総体積に所定の割合を乗じて得られた体積と見かけ上同じ体積の擬似物、所定の食品に用いられたソルビン酸の総重量に所定の割合を乗じて得られた重量と同じ重量のソルビン酸、所定の食品に用いられたソルビン酸の総重量に所定の割合を乗じて得られた重量と同じ重量の擬似物、所定の食品に用いられたソルビン酸の総体積に所定の割合を乗じて得られた体積と同じ体積のソルビン酸、所定の食品に用いられたソルビン酸の総体積に所定の割合を乗じて得られた体積と同じ体積の擬似物、所定の食品に用いられたソルビン酸の総体積に所定の割合を乗じて得られた体積と見かけ上同じ体積のソルビン酸、所定の食品に用いられたソルビン酸の総体積に所定の割合を乗じて得られた体積と見かけ上同じ体積の擬似物、所定の食品に用いられたアスパルテームの総重量に所定の割合を乗じて得られた重量と
同じ重量のアスパルテーム、所定の食品に用いられたアスパルテームの総重量に所定の割合を乗じて得られた重量と同じ重量の擬似物、所定の食品に用いられたアスパルテームの総体積に所定の割合を乗じて得られた体積と同じ体積のアスパルテーム、所定の食品に用いられたアスパルテームの総体積に所定の割合を乗じて得られた体積と同じ体積の擬似物、所定の食品に用いられたアスパルテームの総体積に所定の割合を乗じて得られた体積と見かけ上同じ体積のアスパルテーム、所定の食品に用いられたアスパルテームの総体積に所定の割合を乗じて得られた体積と見かけ上同じ体積の擬似物の少なくとも１つと、麹、麹菌、紅こうじ、納豆菌、酢酸菌、酵母菌、乳酸菌、塩、醤油、味噌、米糠、酒粕、酢、もろみ、からし、味醂の少なくとも１つを有するもの、及び、前記所定の割合を表示した表示物。
【０２０６】
［二次産品の付属物５９］
所定の食品に用いられた食品添加物の総重量に所定の割合を乗じて得られた重量と同じ重量の食品添加物、所定の食品に用いられた食品添加物の総重量に所定の割合を乗じて得られた重量と同じ重量の擬似物、所定の食品に用いられた食品添加物の総体積に所定の割合を乗じて得られた体積と同じ体積の食品添加物、所定の食品に用いられた食品添加物の総体積に所定の割合を乗じて得られた体積と同じ体積の擬似物、所定の食品に用いられた食品添加物の総体積に所定の割合を乗じて得られた体積と見かけ上同じ体積の食品添加物、所定の食品に用いられた食品添加物の総体積に所定の割合を乗じて得られた体積と見かけ上同じ体積の擬似物、所定の食品に用いられた砂糖の総重量に所定の割合を乗じて得られた重量と同じ重量の砂糖、所定の食品に用いられた砂糖の総重量に所定の割合を乗じて得られた重量と同じ重量の擬似物、所定の食品に用いられた砂糖の総体積に所定の割合を乗じて得られた体積と同じ体積の砂糖、所定の食品に用いられた砂糖の総体積に所定の割合を乗じて得られた体積と同じ体積の擬似物、所定の食品に用いられた砂糖の総体積に所定の割合を乗じて得られた体積と見かけ上同じ体積の砂糖、所定の食品に用いられた砂糖の総体積に所定の割合を乗じて得られた体積と見かけ上同じ体積の擬似物、所定の食品に用いられた塩の総重量に所定の割合を乗じて得られた重量と同じ重量の塩、所定の食品に用いられた塩の総重量に所定の割合を乗じて得られた重量と同じ重量の擬似物、所定の食品に用いられた塩の総体積に所定の割合を乗じて得られた体積と同じ体積の塩、所定の食品に用いられた塩の総体積に所定の割合を乗じて得られた体積と同じ体積の擬似物、所定の食品に用いられた塩の総体積に所定の割合を乗じて得られた体積と見かけ上同じ体積の塩、所定の食品に用いられた塩の総体積に所定の割合を乗じて得られた体積と見かけ上同じ体積の擬似物、所定の食品に用いられたタンパク加水分解物の総重量に所定の割合を乗じて得られた重量と同じ重量のタンパク加水分解物、所定の食品に用いられたタンパク加水分解物の総重量に所定の割合を乗じて得られた重量と同じ重量の擬似物、所定の食品に用いられたタンパク加水分解物の総体積に所定の割合を乗じて得られた体積と同じ体積のタンパク加水分解物、所定の食品に用いられたタンパク加水分解物の総体積に所定の割合を乗じて得られた体積と同じ体積の擬似物、所定の食品に用いられたタンパク加水分解物の総体積に所定の割合を乗じて得られた体積と見かけ上同じ体積のタンパク加水分解物、所定の食品に用いられたタンパク加水分解物の総体積に所定の割合を乗じて得られた体積と見かけ上同じ体積の擬似物、所定の食品に用いられた調味料の総重量に所定の割合を乗じて得られた重量と同じ重量の調味料、所定の食品に用いられた調味料の総重量に所定の割合を乗じて得られた重量と同じ重量の擬似物、所定の食品に用いられた調味料の総体積に所定の割合を乗じて得られた体積と同じ体積の調味料、所定の食品に用いられた調味料の総体積に所定の割合を乗じて得られた体積と同じ体積の擬似物、所定の食品に用いられた調味料の総体積に所定の割合を乗じて得られた体積と見かけ上同じ体積の調味料、所定の食品に用いられた調味料の総体積に所定の割合を乗じて得られた体積と見かけ上同じ体積の擬似物、所定の食品に用いられたブドウ糖果糖液糖の総重量に所定の割合を乗じて得られた重量と同じ重量のブドウ糖果糖液糖、所定の食品に用いられたブドウ糖果糖液糖の総重量に所定の割合を乗じて得られた重量と同じ重量の擬似物、所定の食品に用いられたブドウ糖果糖液糖の総体積に所定の割合を乗じて得られた体積と同じ体積のブドウ糖果糖液糖、所定の食品に用いられたブドウ糖果糖液糖の総体積に所定の割合を乗じて得られた体積と同じ体積の擬似物、所定の食品に用いられたブドウ糖果糖液糖の総体積に所定の割合を乗じて得られた体積と見かけ上同じ体積のブドウ糖果糖液糖、所定の食品に用いられたブドウ糖果糖液糖の総体積に所定の割合を乗じて得られた体積と見かけ上同じ体積の擬似物、所定の食品に用いられた加工油脂の総重量に所定の割合を乗じて得られた重量と同じ重量の加工油脂、所定の食品に用いられた加工油脂の総重量に所定の割合を乗じて得られた重量と同じ重量の擬似物、所定の食品に用いられた加工油脂の総体積に所定の割合を乗じて得られた体積と同じ体積の加工油脂、所定の食品に用いられた加工油脂の総体積に所定の割合を乗じて得られた体積と同じ体積の擬似物、所定の食品に用いられた加工油脂の総体積に所定の割合を乗じて得られた体積と見かけ上同じ体積の加工油脂、所定の食品に用いられた加工油脂の総体積に所定の割合を乗じて得られた体積と見かけ上同じ体積の擬似物、所定の食品に用いられたトランス脂肪酸の総重量に所定の割合を乗じて得られた重量と同じ重量のトランス脂肪酸、所定の食品に用いられたトランス脂肪酸の総重量に所定の割合を乗じて得られた重量と同じ重量の擬似物、所定の食品に用いられたトランス脂肪酸の総体積に所定の割合を乗じて得られた体積と同じ体積のトランス脂肪酸、所定の食品に用いられたトランス脂肪酸の総体積に所定の割合を乗じて得られた体積と同じ体積の擬似物、所定の食品に用いられたトランス脂肪酸の総体積に所定の割合を乗じて得られた体積と見かけ上同じ体積のトランス脂肪酸、所定の食品に用いられたトランス脂肪酸の総体積に所定の割合を乗じて得られた体積と見かけ上同じ体積の擬似物、所定の食品に用いられた加工デンプンの総重量に所定の割合を乗じて得られた重量と同じ重量の加工デンプン、所定の食品に用いられた加工デンプンの総重量に所定の割合を乗じて得られた重量と同じ重量の擬似物、所定の食品に用いられた加工デンプンの総体積に所定の割合を乗じて得られた体積と同じ体積の加工デンプン、所定の食品に用いられた加工デンプンの総体積に所定の割合を乗じて得られた体積と同じ体積の擬似物、所定の食品に用いられた加工デンプンの総体積に所定の割合を乗じて得られた体積と見かけ上同じ体積の加工デンプン、所定の食品に用いられた加工デンプンの総体積に所定の割合を乗じて得られた体積と見かけ上同じ体積の擬似物、所定の食品に用いられた食品添加物のうち一括名の表示が認められた食品添加物の総重量に所定の割合を乗じて得られた重量と同じ重量の食品添加物、所定の食品に用いられた食品添加物のうち一括名の表示が認められた食品添加物の総重量に所定の割合を乗じて得られた重量と同じ重量の擬似物、所定の食品に用いられた食品添加物のうち一括名の表示が認められた食品添加物の総体積に所定の割合を乗じて得られた体積と同じ体積の食品添加物、所定の食品に用いられた食品添加物のうち一括名の表示が認められた食品添加物の総体積に所定の割合を乗じて得られた体積と同じ体積の擬似物、所定の食品に用いられた食品添加物のうち一括名の表示が認められた食品添加物の総体積に所定の割合を乗じて得られた体積と見かけ上同じ体積の食品添加物、所定の食品に用いられた食品添加物のうち一括名の表示が認められた食品添加物の総体積に所定の割合を乗じて得られた体積と見かけ上同じ体積の擬似物、所定の食品に用いられた合成ビタミンの総重量に所定の割合を乗じて得られた重量と同じ重量の合成ビタミン、所定の食品に用いられた合成ビタミンの総重量に所定の割合を乗じて得られた重量と同じ重量の擬似物、所定の食品に用いられた合成ビタミンの総体積に所定の割合を乗じて得られた体積と同じ体積の合成ビタミン、所定の食品に用いられた合成ビタミンの総体積に所定の割合を乗じて得られた体積と同じ体積の擬似物、所定の食品に用いられた合成ビタミンの総体積に所定の割合を乗じて得られた体積と見かけ上同じ体積の合成ビタミン、所定の食品に用いられた合成ビタミンの総体積に所定の割合を乗じて得られた体積と見かけ上同じ体積の擬似物、所定の食品に用いられた食品添加物のうちキャリーオーバーとみなされた食品添加物の総重量に所定の割合を乗じて得られた重量と同じ重量の食品添加物、所定の食品に用いられた食品添加物のうちキャリーオーバーとみなされた食品添加物の総重量に所定の割合を乗じて得られた重量と同じ重量の擬似物、所定の食品に用いられた食品添加物のうちキャリーオーバーとみなされた食品添加物の総体積に所定の割合を乗じて得られた体積と同じ体積の食品添加物、所定の食品に用いられた食品添加物のうちキャリーオーバーとみなされた食品添加物の総体積に所定の割合を乗じて得られた体積と同じ体積の擬似物、所定の食品に用いられた食品添加物のうちキャリーオーバーとみなされた食品添加物の総体積に所定の割合を乗じて得られた体積と見かけ上同じ体積の食品添加物、所定の食品に用いられた食品添加物のうちキャリーオーバーとみなされた食品添加物の総体積に所定の割合を乗じて得られた体積と見かけ上同じ体積の擬似物、所定の食品に用いられた食品添加物のうちキャリーオーバーとみなされた食品添加物を除く食品添加物の総重量に所定の割合を乗じて得られた重量と同じ重量の食品添加物、所定の食品に用いられた食品添加物のうちキャリーオーバーとみなされた食品添加物を除く食品添加物の総重量に所定の割合を乗じて得られた重量と同じ重量の擬似物、所定の食品に用いられた食品添加物のうちキャリーオーバーとみなされた食品添加物を除く食品添加物の総体積に所定の割合を乗じて得られた体積と同じ体積の食品添加物、所定の食品に用いられた食品添加物のうちキャリーオーバーとみなされた食品添加物を除く食品添加物の総体積に所定の割合を乗じて得られた体積と同じ体積の擬似物、所定の食品に用いられた食品添加物のうちキャリーオーバーとみなされた食品添加物を除く食品添加物の総体積に所定の割合を乗じて得られた体積と見かけ上同じ体積の食品添加物、所定の食品に用いられた食品添加物のうちキャリーオーバーとみなされた食品添加物を除く食品添加物の総体積に所定の割合を乗じて得られた体積と見かけ上同じ体積の擬似物、所定の食品に用いられた脱脂加工大豆の総重量に所定の割合を乗じて得られた重量と同じ重量の脱脂加工大豆、所定の食品に用いられた脱脂加工大豆の総重量に所定の割合を乗じて得られた重量と同じ重量の擬似物、所定の食品に用いられた脱脂加工大豆の総体積に所定の割合を乗じて得られた体積と同じ体積の脱脂加工大豆、所定の食品に用いられた脱脂加工大豆の総体積に所定の割合を乗じて得られた体積と同じ体積の擬似物、所定の食品に用いられた脱脂加工大豆の総体積に所定の割合を乗じて得られた体積と見かけ上同じ体積の脱脂加工大豆、所定の食品に用いられた脱脂加工大豆の総体積に所定の割合を乗じて得られた体積と見かけ上同じ体積の擬似物、所定の食品に用いられたリン酸塩の総重量に所定の割合を乗じて得られた重量と同じ重量のリン酸塩、所定の食品に用いられたリン酸塩の総重量に所定の割合を乗じて得られた重量と同じ重量の擬似物、所定の食品に用いられたリン酸塩の総体積に所定の割合を乗じて得られた体積と同じ体積のリン酸塩、所定の食品に用いられたリン酸塩の総体積に所定の割合を乗じて得られた体積と同じ体積の擬似物、所定の食品に用いられたリン酸塩の総体積に所定の割合を乗じて得られた体積と見かけ上同じ体積のリン酸塩、所定の食品に用いられたリン酸塩の総体積に所定の割合を乗じて得られた体積と見かけ上同じ体積の擬似物、所定の食品に用いられたソルビン酸の総重量に所定の割合を乗じて得られた重量と同じ重量のソルビン酸、所定の食品に用いられたソルビン酸の総重量に所定の割合を乗じて得られた重量と同じ重量の擬似物、所定の食品に用いられたソルビン酸の総体積に所定の割合を乗じて得られた体積と同じ体積のソルビン酸、所定の食品に用いられたソルビン酸の総体積に所定の割合を乗じて得られた体積と同じ体積の擬似物、所定の食品に用いられたソルビン酸の総体積に所定の割合を乗じて得られた体積と見かけ上同じ体積のソルビン酸、所定の食品に用いられたソルビン酸の総体積に所定の割合を乗じて得られた体積と見かけ上同じ体積の擬似物、所定の食品に用いられたアスパルテームの総重量に所定の割合を乗じて得られた重量と
同じ重量のアスパルテーム、所定の食品に用いられたアスパルテームの総重量に所定の割合を乗じて得られた重量と同じ重量の擬似物、所定の食品に用いられたアスパルテームの総体積に所定の割合を乗じて得られた体積と同じ体積のアスパルテーム、所定の食品に用いられたアスパルテームの総体積に所定の割合を乗じて得られた体積と同じ体積の擬似物、所定の食品に用いられたアスパルテームの総体積に所定の割合を乗じて得られた体積と見かけ上同じ体積のアスパルテーム、所定の食品に用いられたアスパルテームの総体積に所定の割合を乗じて得られた体積と見かけ上同じ体積の擬似物の少なくとも１つと、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの、及び、前記所定の割合を表示した表示物。
【０２０７】
［二次産品の付属物６０］
所定の食品の原料の次世代の種子、若しくは、所定の食品の原料と略同一条件で所定の食品の原料とは別体で成長した代替原料の次世代の種子と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０２０８】
［二次産品の付属物６１］
所定の食品の原料の次世代の種子、若しくは、所定の食品の原料と略同一条件で所定の食品の原料とは別体で成長した代替原料の次世代の種子と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０２０９】
［二次産品の付属物６２］
所定の食品の原料の一部、若しくは、所定の食品の原料と略同一条件で所定の食品の原料とは別体で成長した代替原料から得られた種芋と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０２１０】
［二次産品の付属物６３］
所定の食品の原料の一部、若しくは、所定の食品の原料と略同一条件で所定の食品の原料とは別体で成長した代替原料から得られた種芋と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０２１１】
［二次産品の付属物６４］
所定の食品の原料の一部であり、若しくは、所定の食品の原料と略同一条件で所定の食品の原料とは別体で成長した代替原料であり、若しくは、所定の食品の原料と一体に成長した一体成長物の所定の食品の原料とは異なる部分であり、若しくは、所定の食品の原料と略同一条件で所定の食品の原料とは別体で成長した代替原料と一体に成長した代替一体成長物の所定の食品の原料に対応する部分とは異なる部分である付属物本体が、水と共に収容されて構成されたもの。
【０２１２】
［二次産品の付属物６５］
所定の食品の原料の一部であり、若しくは、所定の食品の原料と略同一条件で所定の食品の原料とは別体で成長した代替原料であり、若しくは、所定の食品の原料と一体に成長した一体成長物の所定の食品の原料とは異なる部分であり、若しくは、所定の食品の原料と略同一条件で所定の食品の原料とは別体で成長した代替原料と一体に成長した代替一体成長物の所定の食品の原料に対応する部分とは異なる部分である付属物本体が、水と共に収容されて構成されると共に、アンモニアセンサーを有して構成されたもの。
【０２１３】
［二次産品の付属物６６］
所定の食品の原料の収穫後に使用された農薬。
【０２１４】
［二次産品の付属物６７］
所定の食品の原料の生産の後に同所定の食品の原料に関与した燻蒸剤、消毒剤、殺菌剤、抗菌剤、防かび剤、防腐剤、被膜剤、酸化防止剤、除草剤、殺虫剤、漂白殺菌剤、若しくは、薬剤の少なくとも１つ。
【０２１５】
［二次産品の付属物６８］
所定の食品の原料の生産の後に同所定の食品の原料に関与した動物用食品添加物、若しくは、成長ホルモン剤の少なくとも１つ。
【０２１６】
［二次産品の付属物６９］
所定の食品の原料の加工直前に、同所定の食品の原料に含まれている燻蒸剤、消毒剤、殺菌剤、抗菌剤、防かび剤、防腐剤、被膜剤、酸化防止剤、除草剤、殺虫剤、漂白殺菌剤、若しくは、薬剤の少なくとも１つ。
【０２１７】
［二次産品の付属物７０］
所定の食品の原料の生産と略同時期に略同一環境で成長した海藻、草、魚介類の少なくとも１つ。
【発明の効果】
【０２１８】
本発明の商品情報提供システム、サービス情報提供システム及び情報提供システムでは、消費者がより一層安心して商品やサービスを選択することが可能となり、商品やサービスの信頼度の向上を実現することができる。
【図面の簡単な説明】
【０２１９】
【図１】本発明の商品情報提供システムの構成例の一例を説明するための模式図である。
【図２】本発明の商品情報提供システムの使用方法の一例を示す概略図である。
【図３】変形例を説明するための模式図である。
【発明を実施するための形態】
【０２２０】
以下、本発明を実施するための形態（以下、「実施の形態」と称する）について説明を行う。
【０２２１】
図１は、本発明の商品情報提供システムの構成例の一例を説明するための模式図である。
図１で示す商品情報提供システム１は、商品提供者が利用する商品提供者端末２と、商品情報提供者が利用する商品情報提供者端末３（３Ａ，３Ｂ，３Ｃ）と、情報提供者が利用する情報提供者端末４（４Ｄ，４Ｅ，４Ｆ）と、サーバＳとで構成される。
【０２２２】
また、商品提供者端末２、商品情報提供者端末３、及び、情報提供者端末４は、インターネット５を介してサーバＳとやり取り可能に構成される。
【０２２３】
なお、商品情報提供者端末３を利用する商品情報提供者としては、（１）商品提供者とは別ルートで商品提供者が提供する商品の提供を受けた者や、（２）過去に商品提供者から商品の提供を受けた顧客（既存顧客）や、（３）各種商品の調査や評価を生業とする調査会社や評価会社等があり、特に限定されるものではない。また、商品情報提供者の全てが別ルートで商品の提供を受けた場合、商品情報提供者の全てが既存顧客の場合、商品情報提供者の全てが調査会社や評価会社の場合の他、商品情報提供者の一部が別ルートで商品の提供を受けた者であり、他の一部が調査会社や評価会社の場合、など、（１）〜（３）を適宜組み合わせた場合であっても良い。
【０２２４】
また、サーバＳは、商品提供者端末２から送信された商品提供者情報を記録する商品提供者情報記録手段６を有する。
【０２２５】
更に、商品提供者情報記録手段６は、少なくとも、商品提供者が顧客に提供する商品の内容の情報６ａと、こうした商品と共に提供される付属物の情報６ｂと、出力する商品情報提供者情報や情報提供者情報を特定するための出力対象情報６ｃと、商品の利用方法に関する概要情報６ｄを記録可能に構成されている。
【０２２６】
ここで、商品の内容の情報６ａに紐付けて、付属物の情報６ｂと、出力対象情報６ｃと、概要情報６ｄが記録される。なお、複数の商品の内容の情報が記録される場合（即ち、商品の内容の情報６ａに加えて、商品の内容の情報６ａとは別の商品の内容の情報も記録される場合）には、それぞれの商品の内容の情報に対応した付属物の情報、出力対象情報、概要情報が記録される。
【０２２７】
また、サーバＳは、商品情報提供者が利用する商品情報提供者端末３Ａから送信された商品情報提供者情報Ａを記録する商品情報提供者情報記録手段７Ａと、商品情報提供者が利用する商品情報提供者端末３Ｂから送信された商品情報提供者情報Ｂを記録する商品情報提供者情報記録手段７Ｂと、商品情報提供者が利用する商品情報提供者端末３Ｃから送信された商品情報提供者情報Ｃを記録する商品情報提供者情報記録手段７Ｃを有する。
【０２２８】
また、商品情報提供者情報記録手段７Ａは、少なくとも、商品情報提供者端末３Ａを利用する商品情報提供者の情報７Ａａと、商品提供者が提供する商品の内容の情報７Ａｂと、付属物の情報７Ａｃと、付属物の情報７Ａｃが利用された場合の還元率の情報７Ａｄと、保有するポイントの情報７Ａｅを記録可能に構成されている。
【０２２９】
ここで、「商品の内容の情報７Ａｂ」は、商品提供者端末２を利用する商品提供者とは別の商品提供者から提供を受けた商品（以下、「別ルートの商品」と称する）であって、商品提供者端末２を利用する商品提供者が提供する商品と同じ商品についての情報である。また、「付属物の情報７Ａｃ」は、別ルートの商品と共に提供される付属物の情報である。
【０２３０】
また、商品情報提供者の情報７Ａａに紐付けて、商品の内容の情報７Ａｂと、付属物の情報７Ａｃと、還元率の情報７Ａｄと、ポイントの情報７Ａｅが記録される。また、商品の内容の情報７Ａｂと紐付けて、付属物の情報７Ａｃと、還元率の情報７Ａｄが記録される。なお、複数の商品の内容の情報が記録される場合（即ち、商品の内容の情報７Ａｂに加えて、商品の内容の情報７Ａｂとは別の商品の内容の情報も記録される場合）には、それぞれの商品の内容の情報に対応した付属物の情報、還元率の情報が記録される。
【０２３１】
同様に、商品情報提供者情報記録手段７Ｂは、少なくとも、商品情報提供者端末３Ｂを利用する商品情報提供者の情報７Ｂａと、商品提供者が提供する商品の内容の情報７Ｂｂと、付属物の情報７Ｂｃと、付属物の情報７Ｂｃが利用された場合の還元率の情報７Ｂｄと、保有するポイントの情報７Ｂｅを記録可能に構成されている。
【０２３２】
ここで、「商品の内容の情報７Ｂｂ」は、商品提供者端末２を利用する商品提供者とは別の商品提供者から提供を受けた商品（以下、「別ルートの商品」と称する）であって、商品提供者端末２を利用する商品提供者が提供する商品と同じ商品についての情報である。また、「付属物の情報７Ｂｃ」は、別ルートの商品と共に提供される付属物の情報である。
【０２３３】
また、商品情報提供者の情報７Ｂａに紐付けて、商品の内容の情報７Ｂｂと、付属物の情報７Ｂｃと、還元率の情報７Ｂｄと、ポイントの情報７Ｂｅが記録される。また、商品の内容の情報７Ｂｂと紐付けて、付属物の情報７Ｂｃと、還元率の情報７Ｂｄが記録される。なお、複数の商品の内容の情報が記録される場合（即ち、商品の内容の情報７Ｂｂに加えて、商品の内容の情報７Ｂｂとは別の商品の内容の情報も記録される場合）には、それぞれの商品の内容の情報に対応した付属物の情報、還元率の情報が記録される。
【０２３４】
また同様に、商品情報提供者情報記録手段７Ｃは、少なくとも、商品情報提供者端末３Ｃを利用する商品情報提供者の情報７Ｃａと、商品提供者が提供する商品の内容の情報７Ｃｂと、付属物の情報７Ｃｃと、付属物の情報７Ｃｃが利用された場合の還元率の情報７Ｃｄと、保有するポイントの情報７Ｃｅを記録可能に構成されている。
【０２３５】
ここで、「商品の内容の情報７Ｃｂ」は、商品提供者端末２を利用する商品提供者とは別の商品提供者から提供を受けた商品（以下、「別ルートの商品」と称する）であって、商品提供者端末２を利用する商品提供者が提供する商品と同じ商品についての情報である。また、「付属物の情報７Ｃｃ」は、別ルートの商品と共に提供される付属物の情報である。
【０２３６】
また、商品情報提供者の情報７Ｃａに紐付けて、商品の内容の情報７Ｃｂと、付属物の情報７Ｃｃと、還元率の情報７Ｃｄと、ポイントの情報７Ｃｅが記録される。また、商品の内容の情報７Ｃｂと紐付けて、付属物の情報７Ｃｃと、還元率の情報７Ｃｄが記録される。なお、複数の商品の内容の情報が記録される場合（即ち、商品の内容の情報７Ｃｂに加えて、商品の内容の情報７Ｃｂとは別の商品の内容の情報も記録される場合）には、それぞれの商品の内容の情報に対応した付属物の情報、還元率の情報が記録される。
【０２３７】
また、サーバＳは、情報提供者が利用する情報提供者端末４Ｄから送信された情報提供者情報Ｄを記録する情報提供者情報記録手段８Ｄと、情報提供者が利用する情報提供者端末４Ｅから送信された情報提供者情報Ｅを記録する情報提供者情報記録手段８Ｅと、情報提供者が利用する情報提供者端末４Ｆから送信された情報提供者情報Ｆを記録する情報提供者情報記録手段８Ｆを有する。
【０２３８】
また、情報提供者情報記録手段８Ｄは、少なくとも、情報提供者端末４Ｄを利用する情報提供者の情報８Ｄａと、商品提供者が顧客に提供する商品の利用方法に関する詳細情報８Ｄｂと、詳細情報８Ｄｂが利用された場合の還元率の情報８Ｄｃと、保有するポイントの情報８Ｄｄを記録可能に構成されている。
なお、商品の利用方法に関する詳細情報８Ｄｂは、商品の利用方法に関する概要情報６ｄと対応付けられたものであり、概要情報６ｄの詳細情報という位置づけである。
【０２３９】
また、情報提供者の情報８Ｄａに紐付けて、詳細情報８Ｄｂと、還元率の情報８Ｄｃと、ポイントの情報８Ｄｄが記録される。また、詳細情報８Ｄｂと紐付けて、還元率の情報８Ｄｃが記録される。なお、複数の詳細情報が記録される場合（即ち、詳細情報８Ｄｂに加えて、詳細情報８Ｄｂとは別の詳細情報も記録される場合）には、それぞれの詳細情報に対応した還元率の情報が記録される。
【０２４０】
同様に、情報提供者情報記録手段８Ｅは、少なくとも、情報提供者端末４Ｅを利用する情報提供者の情報８Ｅａと、商品提供者が顧客に提供する商品の利用方法に関する詳細情報８Ｅｂと、詳細情報８Ｅｂが利用された場合の還元率の情報８Ｅｃと、保有するポイントの情報８Ｅｄを記録可能に構成されている。
なお、商品の利用方法に関する詳細情報８Ｅｂは、商品の利用方法に関する概要情報６ｄと対応付けられたものであり、概要情報６ｄの詳細情報という位置づけである。
【０２４１】
また、情報提供者の情報８Ｅａに紐付けて、詳細情報８Ｅｂと、還元率の情報８Ｅｃと、ポイントの情報８Ｅｄが記録される。また、詳細情報８Ｅｂと紐付けて、還元率の情報８Ｅｃが記録される。なお、複数の詳細情報が記録される場合（即ち、詳細情報８Ｅｂに加えて、詳細情報８Ｅｂとは別の詳細情報も記録される場合）には、それぞれの詳細情報に対応した還元率の情報が記録される。
【０２４２】
また同様に、情報提供者情報記録手段８Ｆは、少なくとも、情報提供者端末４Ｆを利用する情報提供者の情報８Ｆａと、商品提供者が顧客に提供する商品の利用方法に関する詳細情報８Ｆｂと、詳細情報８Ｆｂが利用された場合の還元率の情報８Ｆｃと、保有するポイントの情報８Ｆｄを記録可能に構成されている。
なお、商品の利用方法に関する詳細情報８Ｆｂは、商品の利用方法に関する概要情報６ｄと対応付けられたものであり、概要情報６ｄの詳細情報という位置づけである。
【０２４３】
また、情報提供者の情報８Ｆａに紐付けて、詳細情報８Ｆｂと、還元率の情報８Ｆｃと、ポイントの情報８Ｆｄが記録される。また、詳細情報８Ｆｂと紐付けて、還元率の情報８Ｆｃが記録される。なお、複数の詳細情報が記録される場合（即ち、詳細情報８Ｆｂに加えて、詳細情報８Ｆｂとは別の詳細情報も記録される場合）には、それぞれの詳細情報に対応した還元率の情報が記録される。
【０２４４】
また、サーバＳは、新規顧客（見込み顧客）が情報を求めた場合に、出力対象情報６ｃに基づいて、商品情報提供者情報記録手段７に記録された付属物の情報と、情報提供者情報記録手段８に記録された詳細情報を出力する情報出力手段９を有する。
【０２４５】
ところで、商品情報提供者情報の変更を商品情報提供者の判断のみで行えるとした場合には、変更後の情報の内容によっては商品提供者が大きな不利益を被ることも考えられる。例えば、新規記録時には商品提供者が好む内容として商品提供者が選択するように仕向け、その後に悪意をもって虚偽の情報に変更する場合等が挙げられる。
そのため、商品情報提供者情報の変更については、商品情報提供者自身で行えるものの、変更内容を商品提供者が承認した場合に限って、その変更が反映されるように構成しても良い。
なお、（記録された情報の変更ではなく）新規の記録の場合には、商品提供者が選択しなければ情報が出力されることは無いため、承認の仕組み等は不要である。
【０２４６】
同様に、情報提供者情報の変更を情報提供者の判断のみで行えるとした場合には、変更後の情報の内容によっては商品提供者が大きな不利益を被ることも考えられる。例えば、新規記録時には商品提供者が好む内容として商品提供者が選択するように仕向け、その後に悪意をもって虚偽の情報に変更する場合等が挙げられる。
そのため、情報提供者情報の変更については、情報提供者自身で行えるものの、変更内容を情報提供者が承認した場合に限って、その変更が反映されるように構成しても良い。
なお、（記録された情報の変更ではなく）新規の記録の場合には、商品提供者が選択しなければ情報が出力されることは無いため、承認の仕組み等は不要である。
【０２４７】
更に、サーバＳは、情報出力手段９が付属物の情報等を出力した場合に、商品情報提供者や情報提供者にポイントを付与するポイント付与手段１０を有する。
具体的には、例えば、付属物の情報７Ａｃ及び詳細情報８Ｅｂが出力された場合には、商品情報提供者情報記録手段７Ａの保有するポイントの情報７Ａｅに、還元率の情報７Ａｄに応じたポイントが加算されると共に、情報提供者情報記録手段８Ｅの保有するポイントの情報８Ｅｄに、還元率の情報８Ｅｃに応じたポイントが加算されることになる。
【０２４８】
図２は、本発明の商品情報提供システムの使用方法の一例を示す概略図である。
なお、以下では、商品情報提供者３０（３０Ａ，３０Ｂ，３０Ｃ）は、別ルートの商品の提供を受けたことがあり、新規顧客５０は商品提供者２０から商品の提供を受けるか否かの検討に際して、情報の収集を行っていることを前提として説明を行う。
【０２４９】
［１．各種情報の記録］
本発明の商品情報提供システムの使用方法の一例では、新規顧客５０が情報を得るためには、各種情報がサーバＳに記録される必要がある。そのために、サーバＳへの各種情報の記録について説明を行う。
【０２５０】
先ず、商品提供者２０が、自身が提供する商品２００の内容（商品の内容の情報６ａ）を、商品提供者端末２を用いて商品提供者情報記録手段６に記録する。また、商品提供者２０が、自身が提供する付属物２０１の内容（付属物の情報６ｂ）と、自身が提供する商品２００の利用方法に関する概要情報６ｄを、商品提供者端末２を用いて商品提供者情報記録手段６に記録する。
これらの記録は、図２中符号（１）で示すステップである。
【０２５１】
次に、商品情報提供者３０Ａは、自身を特定する情報（商品情報提供者の情報７Ａａ）を、商品情報提供者端末３Ａを用いて商品情報提供者情報記録手段７Ａに記録する。
また、商品情報提供者の情報７Ａａに紐付けて、別ルートの商品の内容（商品の内容の情報７Ａｂ）と、別ルートの商品と共に提供された付属物の内容（付属物の情報７Ａｃ）を、商品情報提供者端末３Ａを用いて商品情報提供者情報記録手段７Ａに記録する。
【０２５２】
更に、商品情報提供者の情報７Ａａに紐付けて、付属物の情報７Ａｃが利用された場合の還元率の情報７Ａｄを、商品情報提供者端末３Ａを用いて商品情報提供者情報記録手段７Ａに記録する。
これらの記録は、図２中符号（２）で示すステップである。
【０２５３】
なお、商品情報提供者３０Ａが各種情報を記録すると、商品提供者２０に「その旨」が送信される（図２中符号（３）で示すステップ）。
【０２５４】
ここでは、商品情報提供者３０Ａが、商品情報提供者の情報７Ａａ、商品の内容の情報７Ａｂ、付属物の情報７Ａｃ、還元率の情報７Ａｄを記録する場合の説明を行っているが、同様にして、商品情報提供者３０Ｂ及び商品情報提供者３０Ｃも、記録を行う。
なお、商品情報提供者３０Ａ〜３０Ｃは、同タイミングで記録を行うということではなく、順次行うものである。
【０２５５】
続いて、情報提供者４０Ｄは、自身を特定する情報（情報提供者の情報８Ｄａ）を、情報提供者端末４Ｄを用いて情報提供者情報記録手段８Ｄに記録する。
また、情報提供者の情報８Ｄａに紐付けて、商品提供者２０が提供する商品２００の利用方法に関する詳細情報８Ｄｂと、詳細情報８Ｄｂが利用された場合の還元率の情報８Ｄｃを、情報提供者端末４Ｄを用いて情報提供者情報記録手段８Ｄに記録する。
これらの記録は、図２中符号（２）で示すステップである。
【０２５６】
なお、情報提供者４０Ｄが各種情報を記録すると、商品提供者２０に「その旨」が送信される（図２中符号（３）で示すステップ）。
【０２５７】
ここでは、情報提供者４０Ｄが、情報提供者の情報８Ａａ、詳細情報８Ａｂ、還元率の情報８Ａｃを記録する場合の説明を行っているが、同様にして、情報提供者４０Ｅ及び情報提供者４０Ｆも、記録を行う。
なお、情報提供者４０Ｄ〜４０Ｆは、同タイミングで記録を行うということではなく、順次行うものである。
【０２５８】
次に、上記（３）で示すステップで「その旨」が送信されていることから、商品提供者２０は、サーバＳにアクセスして、記録された商品情報提供者情報（Ａ〜Ｃ）や情報提供者情報（Ｄ〜Ｆ）を確認した上で、商品情報提供者情報を選択（例えば、付属物の情報の質を比較して商品情報提供者情報を選択する、還元率を比較して商品情報提供者情報を選択する、など）すると共に、情報提供者情報を選択（例えば、詳細情報の質を比較して情報提供者情報を選択する、還元率を比較して情報提供者情報を選択する、など）し、商品提供者端末２を用いて、出力対象情報６ｃに記録する（図２中符号（４）で示すステップ）。
【０２５９】
上述したような各種情報の記録の後に、新規顧客５０に対して、各種情報の提供が可能となる。
【０２６０】
なお、ここでは、商品提供者２０が提供する商品２００について、商品情報提供者３０及び情報提供者４０が各種情報の記録を行う場合のみを説明しているが、サーバＳに記録される情報は「商品提供者２０が提供する商品２００」に関するもののみではなく、「商品提供者２０が提供する商品２００とは別の商品」や、「商品提供者２０とは別の商品提供者が提供する商品」に関するものについても記録される。
即ち、本実施の形態では、新規顧客５０が、商品提供者２０が提供する商品２００に関連する情報を得る場合を例に挙げて説明を行うが（後述）、サーバＳは、「商品提供者２０が提供する商品２００とは別の商品」や、「商品提供者２０とは別の商品提供者が提供する商品」に関連する情報も提供することができる。
【０２６１】
［２．各種情報の提供］
商品提供者２０が提供する商品２００に関連して、各種情報の提供を希望する新規顧客５０は、新規顧客端末（図示せず）でインターネット５を介してサーバＳにアクセスを行う（図２中符号（５）で示すステップ）。
【０２６２】
サーバＳにアクセスすると、新規顧客端末には、情報提供が可能な商品提供者の一覧が表示され、新規顧客５０は表示された一覧の中から「商品提供者２０」を選択する。また、「商品提供者２０」を選択すると、商品提供者２０が提供する商品の一覧が表示され、新規顧客５０は表示された一覧の中から「商品２００」を選択する。
【０２６３】
そして、新規顧客端末から「商品提供者２０の商品２００」が選択されると、情報出力手段９が、商品提供者情報記録手段６に記録された商品の内容の情報６ａ（商品２００に対応する情報が商品の内容の情報６ａである）と、商品の内容の情報６ａに紐付けられた付属物の情報６ｂ及び概要情報６ｄを出力する（新規顧客端末に情報が表示される）。
【０２６４】
併せて、情報出力手段９は、商品の内容の情報６ａに紐付けられた出力対象情報６ｃに基づいて、商品情報提供者情報及び情報提供者情報を出力する（新規顧客端末に情報が表示される）。具体的には、例えば、出力対象情報６ｃに出力対象として「付属物の情報７Ａｃ」が記録されている場合には、付属物の情報７Ａｃと、付属物の情報７Ａｃに紐付けられた商品の内容の情報７Ａｂを出力する。また、出力対象情報６ｃに出力対象として「詳細情報８Ｅｂ」が記録されている場合には、詳細情報８Ｅｂを出力する。
【０２６５】
その後、新規顧客５０が商品提供者２０の商品２００の提供を受ける場合（商品提供者２０の商品２００を購入する場合）には、商品提供者２０が新規顧客５０に対して商品２００を提供する。また、商品提供者２０は、商品２００と共に、付属物２０１の現物を新規顧客５０に提供する。
【０２６６】
なお、情報出力手段９が情報を出力すると、商品情報提供者及び情報提供者に「その旨」が送信される（商品情報提供者３０Ａ及び情報提供者４０Ｅに送信される場合について、図２中符号（６）で示すステップ）。
【０２６７】
［３．ポイントの付与］
情報出力手段９が情報を出力すると、ポイント付与手段１０は、情報出力手段９が出力した情報の登録者にポイントを付与する。具体的には、例えば、情報出力手段９が付属物の情報７Ａｃ及び詳細情報８Ｅｂを出力した場合には、「商品提供者２０の商品２００の価格」に還元率の情報７Ａｄを乗じた価格に相当するポイントを付与し、保有するポイントの情報７Ａｅが更新されることになる。また、「商品提供者２０の商品２００の価格」に還元率の情報８Ｅｃを乗じた価格に相当するポイントを付与し、保有するポイントの情報８Ｅｄが更新されることになる。
【０２６８】
［効果］
上記した本発明の商品情報提供システムでは、付属物の情報７Ａｃによって、商品提供者２０の商品２００の品質を把握することができる。また、詳細情報８Ｅｂによって、商品２００の利用方法に関する詳細情報を把握することができる。
なお、商品２００の提供を受ける前に、付属物の情報７Ａｃ等を確認することで、商品２００の品質や利用方法の詳細情報を把握することができるために、新規顧客５０は商品提供者２０の商品２００の提供を受けるか否か（商品２００を購入するか否か）の判断材料を得ることができる。
【０２６９】
また、付属物の情報６ｂと付属物の情報７Ａｃの双方が出力され、商品を提供する側（商品提供者２０）とそれ以外（商品情報提供者３０Ａ）の双方の情報に基づいて商品２００の特定を行うことにより、情報の改竄や偽造等を抑止することができる。
【０２７０】
また、商品情報提供者や情報提供者にポイントが付与されることから、商品情報提供者情報や情報提供者情報を登録しようというインセンティブが高まり、商品情報提供者情報や情報提供者情報の充実（数量の充実、品質の充実）が期待でき、結果として、付属物の情報や詳細情報を通じて、より一層商品２００の品質を把握することができる。
【０２７１】
また、商品情報提供者自身が付属物の情報や還元率の情報を登録できること、商品提供者２０が選択した商品情報提供者情報に対してのみポイントが付与されること、また、情報提供者自身が詳細情報や還元率の情報を登録できること、商品提供者２０が選択した情報提供者情報に対してのみポイントが付与されること、から、商品情報提供者情報や情報提供者情報の品質が高められることが期待でき、このことによっても、付属物の情報や詳細情報を通じて、より一層商品２００の品質を把握することができる。
【０２７２】
［変形例１］
上記した本発明の商品情報提供システムの一例では、付属物の情報７Ａｃや詳細情報８Ｅｂが出力される場合を例に挙げて説明を行っているが、新規顧客５０が付属物の情報や詳細情報を確認することができれば充分であるために、付属物の情報７Ａｃや詳細情報８Ｅｂにアクセスできる識別情報（二次元バーコードやカラーコード等の識別子）を出力しても良い。
この場合、識別情報を用いて、新規顧客端末で付属物の情報７Ａｃや詳細情報８Ｅｂが掲載されたウェブサイト等にアクセスして、付属物の情報７Ａｃや詳細情報８Ｅｂを確認することになる。
【０２７３】
なお、変形例１のように、識別情報を通じて付属物の情報７Ａｃや詳細情報８Ｅｂにアクセスする場合は、アクセスしたウェブサイトには同一の情報が掲載されているであろうという新規顧客の期待を考慮して、商品情報提供者情報記録手段７Ａの付属物の情報７Ａｃが変更されたり、情報提供者情報８Ｅの詳細情報８Ｅｂが変更されたりした場合であっても、変更前に出力した識別情報でアクセスするウェブサイトには変更前の付属物の情報７Ａｃや詳細情報８Ｅｂが掲載されるようにしても良い。
【０２７４】
［変形例２］
また、上記した商品情報提供システムの一例では、商品提供者情報記録手段６に、商品提供者２０の商品２００の利用方法に関する概要情報６ｄを登録する場合を例に挙げて説明を行っているが、これに限るものではない。
例えば、図３に示す様に、情報提供者が利用する情報提供者端末４Ｇから送信された情報提供者情報Ｇを記録する情報提供者情報記録手段１１を設けて、商品提供者２０の商品２００の利用方法に関する概要情報１１ａと、出力対象情報１１ｂを記録するようにしても良い。
なお、出力対象情報１１ｂには、情報提供者４０Ｇが選択した情報提供者情報の情報が記録されることになる。
【０２７５】
［変形例３］
また、本実施の形態では、商品提供者が商品を提供する場合を例に挙げて説明を行っているが、換言すると、取引対象が商品である場合を例に挙げて説明を行っているが、これに限るものではなく、サービス提供者がサービスを提供する場合であっても良い。
【符号の説明】
【０２７６】
１    商品情報提供システム
２    商品提供者端末
３    商品情報提供者端末
４    情報提供者端末
５    インターネット
６    商品提供者情報記録手段
７    商品情報提供者情報記録手段
８    情報提供者情報記録手段
９    情報出力手段
１０    ポイント付与手段
１１    情報提供者情報記録手段
２０    商品提供者
３０    商品情報提供者
４０    情報提供者
５０    新規顧客
２００    商品
２０１    付属物
【図１】
2020177663.tif 000003
【図２】
2020177663.tif 000004
【図３】
2020177663.tif 000005